(57)【要約】  外光の透過光量の制御のみならず、鏡として利用可能な積層体を提供する。  積層体１は、第１液晶部材１００と反射型偏光部材２００と第２液晶部材３００とを備え、第１液晶部材は、配向状態が変化する第１液晶セル及び第１吸収型偏光部材を有し、第１液晶セルが、入射光のうちの一方の偏光を遮光し、他方の偏光を透過するモードと入射光のうちの一方の偏光を遮光し他方の偏光を方向転換して透過するモードとの間、入射光をそのまま透過するモードと一方の偏光を遮光し他方の偏光を透過するモードとの間、又は、入射光のうちの一方の偏光を遮光し他方の偏光を透過するモードと入射光のうちの一方の偏光を透過し他方の偏光を遮光するモードとの間で切換可能であり、反射型偏光部材は、第１液晶部材を透過した光を入射し、その入射光の一方の偏光を透過し、他方の偏光を反射し、第２液晶部材は、配向状態が変化する第２液晶セル及び第２吸収型偏光部材を有し、第２液晶セルが反射型偏光部材が偏光を透過した場合、偏光を遮光するモードと透過するモードとの間で切換可能である。
2018070500.tif 000002
【特許請求の範囲】
【請求項１】
第１液晶部材と、反射型偏光部材と、第２液晶部材とがこの順に設けられており、
前記第１液晶部材は、第１印加電圧によって配向状態が変化する第１液晶セルと該第１液晶セルの外側に設けられた第１吸収型偏光部材とを備えるか、又は、第１印加電圧によって配向状態が変化するとともに前記第１吸収型偏光部材としての機能を有する第１液晶セルを備え、
前記第１印加電圧の制御によって、前記第１液晶セルは、
入射光のうちの一方の偏光を遮光し、他方の偏光を透過するモードと、
入射光のうちの一方の偏光を遮光し、他方の偏光を方向転換して透過するモードと、の間で切換可能、
前記入射光をそのまま透過するモードと、一方の偏光を遮光し他方の偏光を透過するモードとの間で切換可能、又は、
入射光のうちの一方の偏光を遮光し、他方の偏光を透過するモードと、
入射光のうちの一方の偏光を透過し、他方の偏光を遮光するモードと、の間で切換可能であり、
前記反射型偏光部材は、前記第１液晶部材を透過した光を入射し、その入射光の一方の偏光を透過し、他方の偏光を反射し、
前記第２液晶部材は、第２印加電圧によって配向状態が変化する第２液晶セルと該第２液晶セルの外側に設けられた第２吸収型偏光部材とを備えるか、又は、第２印加電圧によって配向状態が変化するとともに前記第２吸収型偏光部材としての機能を有する第２液晶セルを備え、
前記反射型偏光部材が偏光を透過した場合、前記第２液晶セルは、前記第２印加電圧の制御によって、前記偏光を遮光するモードと、透過するモードとの間で切換可能である、
積層体。
【請求項２】
前記第１液晶セルと前記反射型偏光部材側との間に吸収型偏光部材が設けられていない、
請求項１に記載の積層体。
【請求項３】
前記第１液晶部材が、前記第１液晶セルの外側に第１吸収型偏光部材が設けられ、前記第２液晶部材が、前記第２液晶セルの外側に第２吸収型偏光部材が設けられる場合、
前記第１吸収型偏光部材は、前記第１液晶セルの前記反射型偏光部材と逆側の面に配置され、
前記第２吸収型偏光部材は、前記第２液晶セルの前記反射型偏光部材と逆側の面に配置される、
請求項１又は２に記載の積層体。
【請求項４】
前記第２液晶部材は、前記反射型偏光部材側に配置された第３吸収型偏光部材を備え、該第３吸収型偏光部材は、前記反射型偏光部材を透過した光を透過する、
請求項２又は３に記載の積層体。
【請求項５】
前記第２液晶セルと前記反射型偏光部材との間に、吸収型偏光部材が設けられていない、
請求項２又は３に記載の積層体。
【請求項６】
前記第１液晶セル及び前記第２液晶セルが、垂直配向方式、横電界スイッチング方式又はねじれネマティック方式で駆動される、
請求項２から５のいずれか１項に記載の積層体。
【請求項７】
前記第２液晶セルが、前記第２吸収型偏光部材としての機能を有する場合、
前記第２液晶セルは、ねじれネマティック方式で駆動され且つ二色性色素を含む液晶層を備える、
請求項１又は２に記載の積層体。
【請求項８】
前記第１液晶セルは、垂直配向方式、横電界スイッチング方式又はねじれネマティック方式で駆動され、
前記第１液晶セルの、前記反射型偏光部材と逆側に第１吸収型偏光部材を備える、
請求項７に記載の積層体。
【請求項９】
前記第１液晶セルが、前記第１吸収型偏光部材としての機能を有する場合、
前記第１液晶セルは、垂直電界方式で駆動され、且つ二色性色素を含む液晶層を含む、
請求項１又は２に記載の積層体。
【請求項１０】
前記第２液晶セルは、垂直配向方式、横電界スイッチング方式又はねじれネマティック方式で駆動され、
前記第２液晶セルの前記反射型偏光部材と逆側の面に第２吸収型偏光部材を備える、
請求項９に記載の積層体。
【請求項１１】
前記第１液晶セルが、前記第１吸収型偏光部材としての機能を有する場合、
前記第１液晶セルが、横電界スイッチング方式で駆動され、且つ二色性色素を含む液晶層を備える、
請求項１又は２に記載の積層体。
【請求項１２】
前記第２液晶セルが、前記第２吸収型偏光部材としての機能を有する場合、
前記第２液晶セルが、横電界スイッチング方式で駆動され、且つ二色性色素を含む液晶層を備える、
請求項１１に記載の積層体。
【請求項１３】
透明部材と、
前記透明部材に配置される請求項１から請求項１２までのいずれか１項に記載の積層体と、
を備える調光部材。
【請求項１４】
請求項１から請求項１２までのいずれか１項に記載の積層体が、外光が入射する部位に配置された車両。
【請求項１５】
入射光のうち第１偏光を反射し、前記第１偏光に直交する第２偏光を透過する反射型偏光部材と、印加電圧によって配向状態が変化する第１液晶セルを有する第１液晶部材とが少なくとも積層された積層体であって、
当該積層体の前記反射型偏光部材側から入射する第１入射光に対しては、
前記第１入射光のうち、前記第１偏光を反射し、
前記第１入射光のうち、前記第２偏光を、遮光と透過との間で切り替え、
当該積層体の前記反射型偏光部材側とは反対側から入射する第２入射光に対しては、
前記第２入射光の前記第１偏光及び前記第２偏光のいずれか一方の偏光を遮光し、他方の偏光を、少なくとも遮光と透過との間で切り換えること、
を特徴とする積層体。
【請求項１６】
前記第１液晶部材の前記反射型偏光部材側と反対側に設けられる第１吸収型偏光部材と、
前記反射型偏光部材と前記第１液晶部材との間に設けられる第２吸収型偏光部材とを備えること、
を特徴とする請求項１５に記載の積層体。
【請求項１７】
前記反射型偏光部材を透過した前記第２偏光を透過する吸収型偏光部材を備え、
前記第１液晶セルは、二色性色素を含むこと、
を特徴とする請求項１５に記載の積層体。
【請求項１８】
前記第１液晶セルは、カイラル剤を含むこと、
を特徴とする請求項１７に記載の積層体。
【請求項１９】
前記第１液晶セルは、垂直電界方式で駆動されること、
を特徴とする請求項１７に記載の積層体。
【請求項２０】
前記第１液晶セルは、横電界方式で駆動されること、
を特徴とする請求項１７に記載の積層体。
【請求項２１】
反射型偏光部材と、二色性染料を含み、印加電圧によって配向状態が変化する第１液晶部材と、二色性染料を含み、印加電圧によって配向状態が変化する第２液晶部材とが少なくとも積層された積層体であって、
前記第１液晶部材及び前記第２液晶部材の少なくとも一方は、電圧の印加状態に応じて、前記反射型偏光部材の透過軸と同じ方向の透過軸を有すること、
を特徴とする積層体。
【請求項２２】
請求項１５から請求項２１までのいずれか１項に記載の積層体と、
前記積層体に電圧を印加する駆動電源と、
を備える調光装置。
【請求項２３】
前記積層体に貼付される透明基材を備えること、
を特徴とする請求項２２に記載の調光装置。
【請求項２４】
透明部材と、
前記透明部材に配置される請求項１５から請求項２０までのいずれか１項に記載の積層体と、
を備える調光部材。
【請求項２５】
請求項２４に記載の調光部材が、外光が入射する部位に配置された車両。
【発明の詳細な説明】
【技術分野】
【０００１】
本発明は、積層体、調光装置、調光部材、車両に関する。
【背景技術】
【０００２】
従来、例えば窓に貼り付けて外来光の透過を制御する電子ブラインド等に利用可能な調光用の積層体に関する工夫が種々に提案されている（特許文献１、２）。このような積層体の１つに、液晶を利用したものがある。
液晶を利用した積層体において、まず、透明電極が設けられた基板により液晶を挟持して液晶セルが製造される。次いで、この液晶セルを吸収型偏光部材により挟持することにより積層体が作成される。そして、透明電極間に印加する電圧を変化させることにより、液晶の配向を変更し、これらによって外光の透過光量を制御する。
【先行技術文献】
【特許文献】
【０００３】
【特許文献１】特開平０３−４７３９２号公報
【特許文献２】特開平０８−１８４２７３号公報
【発明の概要】
【発明が解決しようとする課題】
【０００４】
このような積層体において、一方の側から入射した光の透過光量の制御のみならず、他方の側から入射した光を必要に応じて反射する、いわゆる鏡として利用できればより便利である。
【課題を解決するための手段】
【０００５】
本発明は、上記課題を解決するために以下のようなものを提供する。【０００６】
（１）第１液晶部材と、反射型偏光部材と、第２液晶部材とがこの順に設けられており、前記第１液晶部材は、第１印加電圧によって配向状態が変化する第１液晶セルと該第１液晶セルの外側に設けられた第１吸収型偏光部材とを備えるか、又は、第１印加電圧によって配向状態が変化するとともに前記第１吸収型偏光部材としての機能を有する第１液晶セルを備え、前記第１印加電圧の制御によって、前記第１液晶セルは、入射光のうちの一方の偏光を遮光し、他方の偏光を透過するモードと、入射光のうちの一方の偏光を遮光し、他方の偏光を方向転換して透過するモードと、の間で切換可能、前記入射光をそのまま透過するモードと、一方の偏光を遮光し他方の偏光を透過するモードとの間で切換可能、又は、入射光のうちの一方の偏光を遮光し、他方の偏光を透過するモードと、入射光のうちの一方の偏光を透過し、他方の偏光を遮光するモードと、の間で切換可能であり、前記反射型偏光部材は、前記第１液晶部材を透過した光を入射し、その入射光の一方の偏光を透過し、他方の偏光を反射し、前記第２液晶部材は、第２印加電圧によって配向状態が変化する第２液晶セルと該第２液晶セルの外側に設けられた第２吸収型偏光部材とを備えるか、又は、第２印加電圧によって配向状態が変化するとともに前記第２吸収型偏光部材としての機能を有する第２液晶セルを備え、前記反射型偏光部材が偏光を透過した場合、前記第２液晶セルは、前記第２印加電圧の制御によって、前記偏光を遮光するモードと、透過するモードとの間で切換可能である、積層体。【０００７】
（２）  （１）において、前記第１液晶セルと前記反射型偏光部材側との間に吸収型偏光部材が設けられていない積層体。【０００８】
（３）  （１）又は（２）において、前記第１液晶部材が、前記第１液晶セルの外側に第１吸収型偏光部材が設けられ、前記第２液晶部材が、前記第２液晶セルの外側に第２吸収型偏光部材が設けられる場合、前記第１吸収型偏光部材は、前記第１液晶セルの前記反射型偏光部材と逆側の面に配置され、前記第２吸収型偏光部材は、前記第２液晶セルの前記反射型偏光部材と逆側の面に配置される積層体。【０００９】
（４）  （２）又は（３）において、前記第２液晶部材は、前記反射型偏光部材側に配置された第３吸収型偏光部材を備え、該第３吸収型偏光部材は、前記反射型偏光部材を透過した光を透過する積層体。【００１０】
（５）  （２）又は（３）において、前記第２液晶セルと前記反射型偏光部材との間に、吸収型偏光部材が設けられていない積層体。【００１１】
（６）  （２）から（５）のいずれかにおいて、前記第１液晶セル及び前記第２液晶セルが、垂直配向方式、横電界スイッチング方式又はねじれネマティック方式で駆動される積層体。【００１２】
（７）  （１）又は（２）において、前記第２液晶セルが、前記第２吸収型偏光部材としての機能を有する場合、前記第２液晶セルは、ねじれネマティック方式で駆動され且つ二色性色素を含む液晶層を備える積層体。【００１３】
（８）  （７）において、前記第１液晶セルは、垂直配向方式、横電界スイッチング方式又はねじれネマティック方式で駆動され、前記第１液晶セルの、前記反射型偏光部材と逆側に第１吸収型偏光部材を備える積層体。【００１４】
（９）  （１）又は（２）において、前記第１液晶セルが、前記第１吸収型偏光部材としての機能を有する場合、前記第１液晶セルは、垂直電界方式で駆動され、且つ二色性色素を含む液晶層を含む積層体。【００１５】
（１０）  （９）において、前記第２液晶セルは、垂直配向方式、横電界スイッチング方式又はねじれネマティック方式で駆動され、前記第２液晶セルの前記反射型偏光部材と逆側の面に第２吸収型偏光部材を備える積層体。【００１６】
（１１）  （１）又は（２）において、  前記第１液晶セルが、前記第１吸収型偏光部材としての機能を有する場合、前記第１液晶セルが、横電界スイッチング方式で駆動され、且つ二色性色素を含む液晶層を備える積層体。【００１７】
（１２）  （１１）において、前記第２液晶セルが、前記第２吸収型偏光部材としての機能を有する場合、前記第２液晶セルが、横電界スイッチング方式で駆動され、且つ二色性色素を含む液晶層を備える積層体。【００１８】
（１３）  透明部材と、前記透明部材に配置される（１）から（１２）までのいずれかの積層体と、を備える調光部材。【００１９】
（１４）  （１）から（１２）までのいずれかの積層体が、外光が入射する部位に配置された車両。【００２０】
（１５）  入射光のうち第１偏光を反射し、前記第１偏光に直交する第２偏光を透過する反射型偏光部材と、印加電圧によって配向状態が変化する第１液晶セルを有する第１液晶部材とが少なくとも積層された積層体であって、当該積層体の前記反射型偏光部材側から入射する第１入射光に対しては、前記第１入射光のうち、前記第１偏光を反射し、前記第１入射光のうち、前記第２偏光を、遮光と透過との間で切り替え、当該積層体の前記反射型偏光部材側とは反対側から入射する第２入射光に対しては、前記第２入射光の前記第１偏光及び前記第２偏光のいずれか一方の偏光を遮光し、他方の偏光を、少なくとも遮光と透過との間で切り換えること、を特徴とする積層体。【００２１】
（１６）  （１５）において、前記第１液晶部材の前記反射型偏光部材側と反対側に設けられる第１吸収型偏光部材と、前記反射型偏光部材と前記第１液晶部材との間に設けられる第２吸収型偏光部材とを備えること、を特徴とする積層体。【００２２】
（１７）  （１５）において、前記反射型偏光部材を透過した前記第２偏光を透過する吸収型偏光部材を備え、前記第１液晶セルは、二色性色素を含むこと、を特徴とする積層体。【００２３】
（１８）  （１７）において、前記第１液晶セルは、カイラル剤を含むこと、を特徴とする積層体。【００２４】
（１９）  （１７）において、前記第１液晶セルは、垂直電界方式で駆動されること、を特徴とする積層体。【００２５】
（２０）  （１７）において、前記第１液晶セルは、横電界方式で駆動されること、を特徴とする積層体。【００２６】
（２１）  反射型偏光部材と、二色性染料を含み、印加電圧によって配向状態が変化する第１液晶部材と、二色性染料を含み、印加電圧によって配向状態が変化する第２液晶部材とが少なくとも積層された積層体であって、前記第１液晶部材及び前記第２液晶部材の少なくとも一方は、電圧の印加状態に応じて、前記反射型偏光部材の透過軸と同じ方向の透過軸を有すること、を特徴とする積層体。【００２７】
（２２）  （１５）から（２１）までのいずれかの積層体と、前記積層体に電圧を印加する駆動電源と、を備える調光装置。【００２８】
（２３）  （２２）において、前記積層体に貼付される透明基材を備えること、を特徴とする調光装置。【００２９】
（２４）  透明部材と、前記透明部材に配置される（１５）から（２０）までのいずれかの積層体と、を備える調光部材。【００３０】
（２５）  （２４）の調光部材が、外光が入射する部位に配置された車両。
【発明の効果】
【００３１】
本発明は、一方の側から入射した光の透過光量を制御するとともに、他方の側から入射した光を必要に応じて反射することができる。
【図面の簡単な説明】
【００３２】
【図１】本発明の第１実施形態の積層体１の概略断面図である。
【図２】第１液晶部材１００の断面図である。
【図３】第２液晶部材３００の断面図である。
【図４】本発明の第２実施形態の積層体１Ａの概略断面図である。
【図５】本発明の第３実施形態の積層体１Ｂの概略断面図である。
【図６】本発明の第４実施形態の積層体１Ｃの概略断面図である。
【図７】本発明の第５実施形態の積層体１Ｄの概略断面図である。
【図８】本発明の第６実施形態の積層体１Ｅの概略断面図である。
【図９】本発明の第７実施形態の積層体１Ｆの概略断面図である。
【図１０】本発明の第８実施形態の積層体１Ｇの概略断面図である。
【図１１】本発明の第９実施形態の積層体１Ｈの概略断面図である。
【図１２】本発明の第１０実施形態の積層体１Ｊの概略断面図である。
【図１３】第１１実施形態の積層体１Ｋの概略断面図である。
【図１４】積層体１Ｋを車両のフロントガラス等の車内側の上部に取り付けられるサンバイザー等として用いた場合を示す図である。
【図１５】第１液晶セル４００の断面図である。
【図１６】第１３実施形態の積層体１Ｍの概略断面図である。
【図１７】第１５実施形態の積層体１Ｐの概略断面図である。
【図１８】第１８実施形態の積層体１Ｓの概略断面図である。
【発明を実施するための形態】
【００３３】
（第１実施形態）
図１は本発明の第１実施形態の積層体１の概略断面図である。図示するように積層体１は、第１液晶部材１００と、反射型偏光部材２００と、第２液晶部材３００とがこの順に設けられている。積層体１は、例えば窓ガラスに貼り付けられるものであり、第１液晶部材１００側が観察者側である。積層体１の第２液晶部材３００側が、窓ガラス等の透明板部材に、粘着剤や接着剤等により貼着されている。
積層体１は、入射した光の透過、遮光、反射を切り替え可能な部材である。積層体１は、上述のように、透明部材に配置され、調光部材として主に使用される。例えば、積層体１は、透明樹脂板や、ガラス等の透明部材に粘着剤等により貼付されたり、合わせガラスの中間材とともに、又は中間材の代わりにガラス板（透明部材）間に挟持されたりする調光部材として使用される。
この積層体１（調光部材）は、例えば、建築物の窓ガラスや、ショーケース、屋内の透明パーテーション、車両のウインドウ等の調光を図る部位（外光が入射する部位、例えば、フロントや、サイド、リア、ルーフ等のウインドウ）に配置される。
また、この積層体１（調光部材）は、車両のフロントガラス（外光が入射する部位）等の車内側の上部に取り付けられるサンバイザー等として用いられるようにしてもよい。
【００３４】
（第１液晶部材）
図２は第１液晶部材１００の断面図である。第１液晶部材１００は、第１印加電圧によって配向状態が変化する第１液晶セル１０４と、第１液晶セル１０４の外部に設けられた第１吸収型偏光部材１０２と、を有する。
【００３５】
（第１吸収型偏光部材）
第１吸収型偏光部材１０２は、ポリビニルアルコール（ＰＶＡ）にヨウ素等を含浸させた後、延伸して第１吸収型偏光部材１０２としての光学的機能を果たす光学機能層が形成され、ＴＡＣ（トリアセチルセルロース）等の透明フィルム材である基材により光学機能層を挟持して作製される。第１吸収型偏光部材１０２は、アクリル系透明粘着樹脂等の接着剤層によって第１液晶セル１０４に配置される。なお、第１吸収型偏光部材１０２には、第１液晶セル１０４側に光学補償のための位相差フィルム１０２Ａが設けられるが、位相差フィルム１０２Ａは、必要に応じて省略してもよい。
【００３６】
（第１液晶セル）
第１液晶セル１０４は、フィルム状の第１積層部１０５Ｄ及び第２積層部１０５Ｕを備え、第１積層部１０５Ｄ及び第２積層部１０５Ｕは第１液晶層１０８を挟持している。
【００３７】
（第１積層部，第２積層部）
第１積層部１０５Ｄは、透明フィルム材である基材１０６に、透明電極１１１、スペーサ１１２及び配向層１１３を作製して形成される。第２積層部１０５Ｕは、透明フィルム材である基材１１５に、透明電極１１６及び配向層１１７を積層して形成される。
【００３８】
（基材）
基材１０６、１１５は、種々の透明フィルム材を適用することができるが、光学異方性の小さなフィルム材を適用することが望ましい。本実施形態において、基材１０６、１１５は、厚み１００μｍのポリカーボネートフィルムが適用されるが、種々の厚みのフィルム材を適用することができ、さらにはＣＯＰ（シクロオレフィンポリマー）フィルム等を適用してもよい。
【００３９】
（透明電極）
透明電極１１１，１１６は、この種のフィルム材に適用される各種の電極材料を適用することができ、本実施形態ではＩＴＯ（Ｉｎｄｉｕｍ  Ｔｉｎ  Ｏｘｉｄｅ）である透明電極材により形成される。
【００４０】
（スペーサ）
スペーサ１１２は、第１液晶層１０８の厚みを規定するために設けられ、各種の樹脂材料を広く適用することができる。本実施形態ではフォトレジストにより作製され、透明電極１１１が作製された基材１０６の上に、フォトレジストを塗工して露光、現像することにより作製される。スペーサ１１２は、第２積層部１０５Ｕに設けるようにしてもよく、第２積層部１０５Ｕ及び第１積層部１０５Ｄの双方に設けるようにしてもよい。また、スペーサ１１２は、配向層１１３の上に設けるようにしてもよい。さらに、スペーサは、いわゆるビーズスペーサを適用してもよい。
【００４１】
（配向層）
配向層１１３，１１７は、光配向層により形成される。この光配向層に適用可能な光配向材料は、光配向の手法を適用可能な各種の材料を広く適用することができるが、本実施形態では、例えば光二量化型の材料を使用する。この光二量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５  （１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。なお光配向層に代えてラビング処理により配向層を作製してもよく、微細なライン状凹凸形状を賦型処理して配向層を作製してもよい。
【００４２】
（液晶層）
第１液晶層１０８は、この種の液晶部材に適用可能な各種の液晶層材料を広く適用することができる。具体的には、第１液晶層１０８として、例えばメルク社製ＭＬＣ２１６６等の液晶材料を適用することができる。なお、第１液晶セル１０４は、第１液晶層１０８を囲むように、シール材１１９が配置され、このシール材１１９により第２積層部１０５Ｕ、第１積層部１０５Ｄが一体に保持され、液晶材料の漏出が防止される。ここでシール材１１９は、例えばエポキシ樹脂、紫外線硬化性樹脂等を適用することができる。
【００４３】
（駆動電源）
駆動電源Ｓ１は、第１液晶部材１００の透明電極１１１，１１６間に、一定の時間間隔で極性が切り替わる矩形波の第１印加電圧を加える。第２積層部１０５Ｕ及び第１積層部１０５Ｄに設けられた透明電極１１１，１１６に第１印加電圧が加えられると、第１液晶層１０８に電界が生じる。第１液晶層１０８に生じた電界により、第１液晶層１０８に設けられた液晶層材料の配向が制御される。これにより、第１液晶部材１００の透過光を制御可能となる。
【００４４】
第１実施形態の第１液晶部材１００における第１液晶層１０８の配向制御には、ＶＡ方式（Ｖｅｒｔｉｃａｌ  Ａｌｉｇｎｍｅｎｔ，垂直配向型）が適用される。ＶＡ方式では、駆動電源Ｓ１の振幅が０Ｖの場合（駆動電圧が０Ｖの場合）である無電界時、第１液晶層１０８の液晶分子は垂直配向し、これにより第１液晶部材１００は、入射光を遮光して遮光状態となる。また、この駆動電源Ｓ１の振幅を増大させて駆動電圧を立ち上げると、第１液晶層１０８の液晶層は水平配向し、第１液晶部材１００は、入射光を透過させる。
【００４５】
しかし、ＶＡ方式に代えて、ねじれネマティック（ＴＮ：Ｔｗｉｓｔｅｄ  Ｎｅｍａｔｉｃ）方式、横電界スイッチング（ＩＰＳ：Ｉｎ  Ｐｌａｎｅ  Ｓｗｉｔｃｈｉｎｇ，ＦＦＳ：Ｆｒｉｎｇｅ  Ｆｉｅｌｄ  Ｓｗｉｔｃｈｉｎｇ）方式等、種々の駆動方式を適用してよい。
【００４６】
ＴＮ方式は、電界の印加により、液晶分子の配向を垂直方向と水平ねじれ方向とで変化させ、光の旋光性を利用して透過光量を制御する方式である。
【００４７】
また、ＩＰＳ方式は、配向させた液晶分子を基板に対して横（水平）方向に回転させることにより透過光量を制御する方式である。
【００４８】
ＦＦＳ方式は、ＩＰＳ方式と同じく基板に対して液晶分子が横（水平）方向に動くが、ねじれと曲がりを伴うことにより透過光量を制御する方式である。
【００４９】
なお第１液晶セル１０４は、光配向層のパターンニング等により、本実施形態においては、いわゆるシングルドメインにより駆動する。ただしこれに限らず、マルチドメインにより駆動する方式であっても良い。
【００５０】
第１液晶部材１００の第１液晶セル１０４は、後述するが、駆動電源Ｓ１より加えられる第１印加電圧をＯＦＦにすると、入射光のうちの一方の偏光を遮光し、他方の偏光を透過するモード（ＯＦＦ）になり、第１印加電圧をＯＮにすると、入射光のうちの一方の偏光を遮光し、他方の偏光を方向転換して透過するモードとなる。
なお、ＩＰＳ方式の場合は、本実施形態と同様に駆動されるが、ＴＮ方式の場合は、駆動電源Ｓ１より加えられる第１印加電圧をＯＮにすると、入射光のうちの一方の偏光を遮光し、他方の偏光を透過するモード（ＯＦＦ）になり、第１印加電圧をＯＦＦにすると、入射光のうちの一方の偏光を遮光し、他方の偏光を方向転換して透過するモードとなる。
【００５１】
（反射型偏光部材）
反射型偏光部材２００としては、本実施形態ではＤＢＥＦ（登録商標，住友スリーエム社製  ＤＢＥＦ−Ｄ３−３４０）を用いる。ＤＢＥＦは、複屈折の異なる薄膜を積層した偏光子であり、一方の振動方向の直線偏光を透過し、他方の振動方向の直線偏光を反射する。
【００５２】
ただし、反射型偏光部材２００としてはこれに限定されず、目的に応じて適宜選択することができ、例えばワイヤーグリッド型偏光子であってもよい。ワイヤーグリッド型偏光子は、金属細線によって偏光の一方を透過し、他方を反射させる偏光子である。ワイヤーグリッド偏光子は、金属ワイヤーを周期的に配列したものである。ワイヤーグリッドが偏光子として機能するためには，ワイヤー間隔が入射電磁波の波長よりも十分小さいことが必要となる。ワイヤーグリッド偏光子では、金属ワイヤーが等間隔に配列されている。金属ワイヤーの長手方向と平行な偏光方向の偏光成分はワイヤーグリッド偏光子において反射され、垂直な偏光方向の偏光成分はワイヤーグリッド偏光子を透過する。
【００５３】
また、反射型偏光部材２００としては、上記のＤＢＥＦ、ワイヤーグリッド以外にコレステリック液晶も考えられる。コレステリック液晶を用いる場合は、広帯域で偏光反射するコレステリック液晶であることが好ましい。したがって、λ／４位相差層とコレステリック液晶層とλ／４位相差層との３層が積層された反射偏光素子が好ましい。若しくは、赤、緑、青を偏光反射するコレステリック液晶層を、３層積層してもよい。
【００５４】
（第２液晶部材）
図３は第２液晶部材３００の断面図である。第２液晶部材３００は、第１液晶部材１００と略同様の構成である。同様な構成については、説明を省略する。
第２液晶部材３００が第１液晶部材１００と異なる点は、第２液晶セル３０４の両側に吸収型偏光部材３０２，３０３が設けられている点である。第２液晶セル３０４と反射型偏光部材２００との間には第３吸収型偏光部材３０３が設けられており、第２液晶セル３０４の逆側には第２吸収型偏光部材３０２が設けられている。なお、第２液晶部材３００における第２液晶層３０８の配向制御には、上述の第１液晶層１０８と同様に、ＶＡ方式が適用される。
【００５５】
第２液晶部材３００の第２液晶セル３０４も駆動電源Ｓ１より加えられる第１印加電圧をＯＦＦにすると、入射光のうちの一方の偏光を遮光し、他方の偏光を透過するモード（ＯＦＦ）になり、第１印加電圧をＯＮにすると、入射光のうちの一方の偏光を遮光し、他方の偏光を方向転換して透過するモードとなる。
【００５６】
（透過軸の向き説明）
次に、第１実施形態における第１吸収型偏光部材１０２、第２吸収型偏光部材３０２、第３吸収型偏光部材３０３の透過軸及び反射型偏光部材２００の反射軸の向きについて説明する。
本実施形態は、反射型偏光部材２００の反射軸の向きと、第３吸収型偏光部材３０３の透過軸の向きは直交する。すなわち反射型偏光部材２００の透過軸の向きと、第３吸収型偏光部材３０３の透過軸の向きは同じである。
第１吸収型偏光部材１０２、第２吸収型偏光部材３０２、第３吸収型偏光部材３０３、の透過軸の向きと、反射型偏光部材２００の反射軸の向きとは、以下の表１に示す、４つの組み合わせを有する。
【００５７】
なお、以下の説明において、反射型偏光部材２００の反射軸方向を第１方向（表１において上下の向きの矢印で示す方向）、反射型偏光部材２００の透過軸方向（第１方向と直交する方向）を第２方向（表１において左右の向きの矢印で示す方向）として説明する。また、第１方向に振動する偏光を第１偏光、第２方向に振動する偏光を第２偏光という。また、以下、各偏光について「透過」するといった場合、「透過」であっても一部の光は反射及び吸収が起こることもありうる。
さらに、以下の説明において、外光側と観察者側と区別して説明するが、使用用途により、逆向きで使用しても良く、両側とも観察者側に向けられる場合もある。
また、遮光と透過と反射の場合についてのみ実施形態で説明するが、その中間状態の制御も可能である。透過率、反射率、ハーフミラーでの反射率と透過率の比率や絶対値の制御がそれぞれ可能である。
【００５８】
【表１】
2018070500.tif 000003
【００５９】
（１−１）
パターン（１−１）は、第１吸収型偏光部材１０２の透過軸方向が第１方向、反射型偏光部材２００の反射軸方向が第１方向、第３吸収型偏光部材３０３の透過軸方向が第２方向、第２吸収型偏光部材３０２の透過軸方向が第１方向である。
【００６０】
表２に、パターン（１−１）の積層体１において、第１液晶セル１０４の透明電極１１１と１１６との間及び第２液晶セル３０４の透明電極３１１と３１６との間に印加する電圧をそれぞれＯＮ／ＯＦＦにしたとき、積層体１に入射した光の取りうる状態を示す。
積層体１には、積層体１の一方である観察者側と、積層体１の他方である外部側とから光が入射する。入射した光は、積層体１によって反射、透過、又は遮光される。
【００６１】
【表２】
2018070500.tif 000004
【００６２】
（１−１−Ａ）第２液晶セル３０４がＯＦＦ、第１液晶セル１０４がＯＦＦの場合
（外光）
第２吸収型偏光部材３０２において、外部から入射した光（外部光，外光）のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなのでそのまま透過する。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１で遮光される。
【００６３】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００において、第１液晶セル１０４を透過した第１偏光は、振動方向が反射型偏光部材２００の反射軸方向なので反射される。
第１液晶セル１０４において、反射型偏光部材２００で反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１において反射されて観察者側に戻る。
【００６４】
（１−１−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
第３吸収型偏光部材３０３において、第２液晶セル３０４で方向転換した第２偏光は、振動方向が第３吸収型偏光部材３０３の透過軸方向なので、そのまま透過する。
反射型偏光部材２００において、第３吸収型偏光部材３０３を透過した第２偏光は、振動方向が反射型偏光部材２００の透過軸方向なので、反射型偏光部材２００を第２偏光のまま透過する。
第１液晶セル１０４において、反射型偏光部材２００を透過した第２偏光は、第１液晶セル１０４がＯＮなので、振動方向が９０°方向転換されて第１偏光となる。
第１吸収型偏光部材１０２において、第１液晶セル１０４で方向転換した第１偏光は、振動方向が第１吸収型偏光部材１０２の透過軸方向なので、そのまま透過する。
すなわち、外光は、積層体１を透過する。
【００６５】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００において、第１液晶セル１０４を透過した第２偏光は、振動方向が反射型偏光部材２００の透過軸方向なので、反射型偏光部材２００をそのまま透過する。
第３吸収型偏光部材３０３において、反射型偏光部材２００を透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＮなので、振動方向が９０°方向転換されて第１偏光となる。
第２吸収型偏光部材３０２において、第２液晶セル３０４で方向転換した第１偏光は、振動方向が第２吸収型偏光部材３０２の透過軸方向なので、そのまま透過する。
すなわち、観察者側から入射した光は、積層体１を透過する。
【００６６】
（１−１−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１で遮光される。
【００６７】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００において、第１液晶セル１０４を透過した第２偏光は、振動方向が反射型偏光部材２００の透過軸方向なので、反射型偏光部材２００をそのまま透過する。
第３吸収型偏光部材３０３において、反射型偏光部材２００を透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１で遮光される。
【００６８】
（１−１−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
第３吸収型偏光部材３０３において、第２液晶セル３０４を透過した第２偏光は、振動方向が第３吸収型偏光部材３０３の透過軸方向なので、そのまま透過する。
反射型偏光部材２００において、第３吸収型偏光部材３０３を透過した第２偏光は、振動方向が反射型偏光部材２００の透過軸方向なので、反射型偏光部材２００をそのまま透過する。
第１液晶セル１０４において、反射型偏光部材２００を透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の吸収軸方向なので吸収されて遮光される。
すなわち、外光は、積層体１で遮光される。
【００６９】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００において、第１液晶セル１０４を透過した第１偏光は、振動方向が反射型偏光部材２００の反射軸方向なので反射される。
第１液晶セル１０４において、反射型偏光部材２００で反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１において反射されて観察者側に戻る。
【００７０】
以上、第１実施形態のパターン（１−１）において、観察者側から入射する光は、第１液晶セル１０４及び第２液晶セル３０４のＯＮ／ＯＦＦの組み合わせを変更することによって、反射、透過、遮光の全ての状態を取ることができる。
【００７１】
したがって、本実施形態の積層体１は、外来光を透過及び遮光するのみならず、観察者側から入射する光も、透過、遮光、及び反射することができるので、観察者側から見たときに、鏡としての利用も可能となる。そして、透明ガラスとしても、日差しを遮る遮光部材としても、また、鏡としても用いることができるので、必要に応じて透過、遮光、及び反射を切り替えることが可能となる。
【００７２】
（１−２）
パターン（１−２）は、第１吸収型偏光部材１０２の透過軸方向が第１方向、反射型偏光部材２００の反射軸方向が第１方向、第３吸収型偏光部材３０３の透過軸方向が第２方向、第２吸収型偏光部材３０２の透過軸方向が第２方向である。
【００７３】
表３に、パターン（１−２）の積層体１において、第１液晶セル１０４の透明電極１１１と１１６との間及び第２液晶セル３０４の透明電極３１１と３１６との間に印加する電圧をそれぞれＯＮ／ＯＦＦにしたとき、積層体１に入射した光の取りうる状態を示す。
積層体１には、観察者側と外部側とから光が入射する。
【００７４】
【表３】
2018070500.tif 000005
【００７５】
（１−２−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
第３吸収型偏光部材３０３において、第２液晶セル３０４を透過した第２偏光は、振動方向が第３吸収型偏光部材３０３の透過軸方向なので、そのまま透過する。
反射型偏光部材２００において、第３吸収型偏光部材３０３を透過した第２偏光は、振動方向が反射型偏光部材２００の透過軸方向なので、反射型偏光部材２００をそのまま透過する。
第１液晶セル１０４において、反射型偏光部材２００を透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の吸収軸方向なので吸収されて遮光される。
すなわち、外光は、積層体１で遮光される。
【００７６】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００において、第１液晶セル１０４を透過した第１偏光は、振動方向が反射型偏光部材２００の反射軸方向なので反射される。
第１液晶セル１０４において、反射型偏光部材２００で反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１において反射されて観察者側に戻る。
【００７７】
（１−２−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１で遮光される。
【００７８】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００において、第１液晶セル１０４を透過した第２偏光は、振動方向が反射型偏光部材２００の透過軸方向なので、反射型偏光部材２００をそのまま透過する。
第３吸収型偏光部材３０３において、反射型偏光部材２００を透過した第２偏光は、振動方向が第３吸収型偏光部材３０３の透過軸方向なので、そのまま透過する。
第２液晶セル３０４において、反射型偏光部材２００を透過した第２偏光は、第２液晶セル３０４がＯＮなので、振動方向が９０°方向転換されて第１偏光となる。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１で遮光される。
【００７９】
（１−２−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
第３吸収型偏光部材３０３において、第２液晶セル３０４を透過した第２偏光は、振動方向が第３吸収型偏光部材３０３の透過軸方向なので、そのまま透過する。
反射型偏光部材２００において、第３吸収型偏光部材３０３を透過した第２偏光は、振動方向が反射型偏光部材２００の透過軸方向なので、反射型偏光部材２００をそのまま透過する。
第１液晶セル１０４において、反射型偏光部材２００で反射された第２偏光は、第１液晶セル１０４がＯＮなので、振動方向が９０°方向転換されて第１偏光となる。
第１吸収型偏光部材１０２において、第１液晶セル１０４を透過した第１偏光は、振動方向が第１吸収型偏光部材１０２の透過軸方向なので、そのまま透過する。
すなわち、外光は、積層体１を透過する。
【００８０】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００において、第１液晶セル１０４を透過した第２偏光は、振動方向が反射型偏光部材２００の透過軸方向なので、反射型偏光部材２００をそのまま透過する。
第３吸収型偏光部材３０３において、反射型偏光部材２００を透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の透過軸方向なので、そのまま透過する。
すなわち、観察者側から入射した光は、積層体１を透過する。
【００８１】
（１−２−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１で遮光される。
【００８２】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００において、第１液晶セル１０４を透過した第１偏光は、振動方向が反射型偏光部材２００の反射軸方向なので反射される。
第１液晶セル１０４において、反射型偏光部材２００で反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１において反射されて観察者側に戻る。
【００８３】
以上、第１実施形態のパターン（１−２）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態のパターン（１−１）と同様の効果を有する。
【００８４】
（１−３）
パターン（１−３）は、第１吸収型偏光部材１０２の透過軸方向が第２方向、反射型偏光部材２００の反射軸方向が第１方向、第３吸収型偏光部材３０３の透過軸方向が第２方向、第２吸収型偏光部材３０２の透過軸方向が第１方向である。
【００８５】
表４に、パターン（１−３）の積層体１において、第１液晶セル１０４の透明電極１１１と１１６との間及び第２液晶セル３０４の透明電極３１１と３１６との間に印加する電圧をそれぞれＯＮ／ＯＦＦにしたとき、積層体１に入射した光の取りうる状態を示す。
積層体１には、観察者側と外部側とから光が入射する。
【００８６】
【表４】
2018070500.tif 000006
【００８７】
（１−３−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１で遮光される。
【００８８】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００において、第１液晶セル１０４を透過した第２偏光は、振動方向が反射型偏光部材２００の透過軸方向なので、そのまま透過する。
第３吸収型偏光部材３０３において、反射型偏光部材２００を透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１で遮光される。
【００８９】
（１−３−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
第３吸収型偏光部材３０３において、第２液晶セル３０４を透過した第２偏光は、振動方向が第３吸収型偏光部材３０３の透過軸方向なので、そのまま透過する。
反射型偏光部材２００において、第３吸収型偏光部材３０３を透過した第２偏光は、振動方向が反射型偏光部材２００の透過軸方向なので、反射型偏光部材２００を第２偏光のまま透過する。
第１液晶セル１０４において、反射型偏光部材２００を透過した第２偏光は、第１液晶セル１０４がＯＮなので、振動方向が９０°方向転換されて第１偏光となる。
第１吸収型偏光部材１０２において、第１液晶セル１０４により変更された第１偏光は、振動方向が第１吸収型偏光部材１０２の吸収軸方向なので吸収されて遮光される。
すなわち、外光は、積層体１で遮光される。
【００９０】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第１偏光は、第１液晶セル１０４がＯＮなので、振動方向が９０°方向転換されて第１偏光となる。
反射型偏光部材２００において、第１液晶セル１０４を透過した第１偏光は、振動方向が反射型偏光部材２００の反射軸方向なので反射される。
第１液晶セル１０４において、反射型偏光部材２００で反射された第１偏光は、第１液晶セル１０４がＯＮなので、振動方向が９０°方向転換されて第２偏光となる。
第１吸収型偏光部材１０２において、第１液晶セル１０４を透過した第２偏光は、振動方向が第１吸収型偏光部材１０２の透過軸方向なので透過する。
すなわち、観察者側から入射した光は、積層体１において反射されて観察者側に戻る。
【００９１】
（１−３−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１で遮光される。
【００９２】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第１２偏光は、第１液晶セル１０４がＯＮなので、振動方向が９０°方向転換されて第１偏光となる。
反射型偏光部材２００において、第１液晶セル１０４を透過した第１偏光は、振動方向が反射型偏光部材２００の反射軸方向なので反射される。
第１液晶セル１０４において、反射型偏光部材２００で反射された第１偏光は、第１液晶セル１０４がＯＮなので、振動方向が９０°方向転換されて第２偏光となる。
第１吸収型偏光部材１０２において、第１液晶セル１０４を透過した第２偏光は、振動方向が第１吸収型偏光部材１０２の透過軸方向なので透過する。
すなわち、観察者側から入射した光は、積層体１において反射されて観察者側に戻る。
【００９３】
（１−３−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
第３吸収型偏光部材３０３において、第２液晶セル３０４を透過した第２偏光は、振動方向が第３吸収型偏光部材３０３の透過軸方向なので、そのまま透過する。
反射型偏光部材２００において、第３吸収型偏光部材３０３を透過した第２偏光は、振動方向が反射型偏光部材２００の透過軸方向なので、反射型偏光部材２００をそのまま透過する。
第１液晶セル１０４において、反射型偏光部材２００を透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の透過軸方向なので透過される。
すなわち、外光は、積層体１を透過する。
【００９４】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００において、第１液晶セル１０４を透過した第２偏光は、振動方向が反射型偏光部材２００の透過軸方向なので、そのまま透過する。
第３吸収型偏光部材３０３において、反射型偏光部材２００を透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の透過軸方向なので、そのまま透過する。
すなわち、観察者側から入射した光は、積層体１を透過する。
【００９５】
以上、第１実施形態のパターン（１−３）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態のパターン（１−１）と同様の効果を有する。
【００９６】
（１−４）
パターン（１−４）は、第１吸収型偏光部材１０２の透過軸方向が第２方向、反射型偏光部材２００の反射軸方向が第１方向、第３吸収型偏光部材３０３の透過軸方向が第２方向、第２吸収型偏光部材３０２の透過軸方向が第２方向である。
【００９７】
表５に、パターン（１−４）の積層体１において、第１液晶セル１０４及び第２液晶セル３０４の透明電極１１１と１１６との間、透明電極３１１と３１６との間に印加する電圧をそれぞれＯＮ／ＯＦＦにしたとき、積層体１に入射した光の取りうる状態を示す。
積層体１には、観察者側と外部側とから光が入射する。
【００９８】
【表５】
2018070500.tif 000007
【００９９】
（１−４−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
第３吸収型偏光部材３０３において、第２液晶セル３０４を透過した第２偏光は、振動方向が第３吸収型偏光部材３０３の透過軸方向なので、そのまま透過する。
反射型偏光部材２００において、第３吸収型偏光部材３０３を透過した第２偏光は、振動方向が反射型偏光部材２００の透過軸方向なので、反射型偏光部材２００を、そのまま透過する。
第１液晶セル１０４において、反射型偏光部材２００を透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の透過軸方向なので、そのまま透過する。
すなわち、外光は、積層体１を透過する。
【０１００】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００において、第１液晶セル１０４を透過した第２偏光は、振動方向が反射型偏光部材２００の透過軸方向なので、そのまま透過する。
第３吸収型偏光部材３０３において、反射型偏光部材２００を透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の透過軸方向なので透過する。
すなわち、観察者側から入射した光は、積層体１を透過する。
【０１０１】
（１−４−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１で遮光される。
【０１０２】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＮなので、振動方向が９０°方向転換されて第１偏光となる。
反射型偏光部材２００において、第１液晶セル１０４を透過した第１偏光は、振動方向が反射型偏光部材２００の反射軸方向なので反射される。
第１液晶セル１０４において、反射型偏光部材２００で反射された第１偏光は、第１液晶セル１０４がＯＮなので、振動方向が９０°方向転換されて第２偏光となる。
第１吸収型偏光部材１０２において、第１液晶セル１０４を透過した第２偏光は、振動方向が第１吸収型偏光部材１０２の透過軸方向なので透過する。
すなわち、観察者側から入射した光は、積層体１において反射されて観察者側に戻る。
【０１０３】
（１−４−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
第３吸収型偏光部材３０３において、第２液晶セル３０４を透過した第２偏光は、振動方向が第３吸収型偏光部材３０３の透過軸方向なので、そのまま透過する。
反射型偏光部材２００において、第３吸収型偏光部材３０３を透過した第２偏光は、振動方向が反射型偏光部材２００の透過軸方向なので、反射型偏光部材２００を第２偏光のまま透過する。
第１液晶セル１０４において、反射型偏光部材２００を透過した第２偏光は、第１液晶セル１０４がＯＮなので、振動方向が９０°方向転換されて第１偏光となる。
第１吸収型偏光部材１０２において、第１液晶セル１０４を透過した第１偏光は、振動方向が第１吸収型偏光部材１０２の吸収軸方向なので吸収されて遮光される。
すなわち、外光は、積層体１で遮光される。
【０１０４】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第１２偏光は、第１液晶セル１０４がＯＮなので、振動方向が９０°方向転換されて第１偏光となる。
反射型偏光部材２００において、第１液晶セル１０４を透過した第１偏光は、振動方向が反射型偏光部材２００の反射軸方向なので反射される。
第１液晶セル１０４において、反射型偏光部材２００で反射された第１偏光は、第１液晶セル１０４がＯＮなので、振動方向が９０°方向転換されて第２偏光となる。
第１吸収型偏光部材１０２において、第１液晶セル１０４を透過した第２偏光は、振動方向が第１吸収型偏光部材１０２の透過軸方向なので透過する。
すなわち、観察者側から入射した光は、積層体１において反射されて観察者側に戻る。
【０１０５】
（１−４−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１で遮光される。
【０１０６】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００において、第１液晶セル１０４を透過した第２偏光は、振動方向が反射型偏光部材２００の透過軸方向なので、そのまま透過する。
第３吸収型偏光部材３０３において、反射型偏光部材２００を透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＮなので、振動方向が９０°方向転換されて第１偏光となる。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１で遮光される。
【０１０７】
以上、第１実施形態のパターン（１−４）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態のパターン（１−１）と同様の効果を有する。
【０１０８】
（第２実施形態）
図４は本発明の第２実施形態の積層体１Ａの概略断面図である。図示するように積層体１は、第１液晶部材１００Ａと、反射型偏光部材２００Ａと、第２液晶部材３００Ａとがこの順に設けられている。
【０１０９】
第２実施形態の積層体１Ａが第１実施形態の積層体１と異なる点は、第２液晶部材３００Ａが第３吸収型偏光部材を備えていない点である。すなわち、第２液晶セル３０４と反射型偏光部材２００Ａとの間には第３吸収型偏光部材は設けられていない。
それ以外の点については第１実施形態と同様である。同様な部分については同一の符号を付して説明を省略する。
【０１１０】
（透過軸の向き説明）
第２実施形態における第１吸収型偏光部材１０２、第２吸収型偏光部材３０２、及び反射型偏光部材２００Ａの透過軸の向きについては以下の表６に示す、４つの組み合わせパターンを有する。
【０１１１】
【表６】
2018070500.tif 000008
【０１１２】
（２−１）
パターン（２−１）は、第１吸収型偏光部材１０２の透過軸方向が第１方向、反射型偏光部材２００Ａの反射軸方向が第１方向、第２吸収型偏光部材３０２の透過軸方向が第１方向である。
【０１１３】
表７に、パターン（２−１）の積層体１Ａにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ａに入射した光の取りうる状態を示す。
積層体１Ａには、観察者側と外部側とから光が入射する。
【０１１４】
【表７】
2018070500.tif 000009
【０１１５】
（２−１−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
反射型偏光部材２００Ａにおいて、第２液晶セル３０４を透過した第１偏光は、振動方向が反射型偏光部材２００Ａの反射軸方向なので反射される。
第２液晶セル３０４において、反射型偏光部材２００Ａで反射された第１偏光は、第２液晶セル３０４がＯＦＦなので、そのまま透過する。
第２吸収型偏光部材３０２において、第２液晶セル３０４を透過した第１偏光は、振動方向が第２吸収型偏光部材３０２の透過軸方向なので、そのまま透過する。
すなわち、外光は、積層体１において反射される。
【０１１６】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００Ａにおいて、第１液晶セル１０４を透過した第１偏光は、振動方向が反射型偏光部材２００Ａの反射軸方向なので反射される。
第１液晶セル１０４において、反射型偏光部材２００Ａで反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１Ａにおいて反射されて観察者側に戻る。
【０１１７】
（２−１−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
反射型偏光部材２００Ａにおいて、第２液晶セル３０４において方向転換された第２偏光は、振動方向が反射型偏光部材２００Ａの透過軸方向なので、反射型偏光部材２００Ａをそのまま透過する。
第１液晶セル１０４において、反射型偏光部材２００Ａを透過した第２偏光は、第１液晶セル１０４がＯＮなので、振動方向が９０°方向転換されて第１偏光となる。
第１吸収型偏光部材１０２において、第１液晶セル１０４において方向転換された第１偏光は、振動方向が第１吸収型偏光部材１０２の透過軸方向なので、そのまま透過する。
すなわち、外光は、積層体１Ａを透過する。
【０１１８】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００Ａにおいて、第１液晶セル１０４を透過した第２偏光は、振動方向が反射型偏光部材２００Ａの透過軸方向なので、反射型偏光部材２００Ａを第２偏光のまま透過する。
第２液晶セル３０４において、反射型偏光部材２００Ａを透過した第２偏光は、第２液晶セル３０４がＯＮなので、振動方向が９０°方向転換されて第１偏光となる。
第２吸収型偏光部材３０２において、第２液晶セル３０４において方向転換された第１偏光は、振動方向が第２吸収型偏光部材３０２の透過軸方向なので、そのまま透過する。
すなわち、観察者側から入射した光は、積層体１Ａを透過する。
【０１１９】
（２−１−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
反射型偏光部材２００Ａにおいて、第２液晶セル３０４を透過した第１偏光は、振動方向が反射型偏光部材２００Ａの反射軸方向なので反射される。
第２液晶セル３０４において、反射型偏光部材２００Ａで反射された第１偏光は、第２液晶セル３０４がＯＦＦなので、そのまま透過する。
第２吸収型偏光部材３０２において、第２液晶セル３０４を透過した第１偏光は、振動方向が第２吸収型偏光部材３０２の透過軸方向なので透過される。
すなわち、外光は、積層体１において反射される。
【０１２０】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００Ａにおいて、第１液晶セル１０４において方向転換された第２偏光は、振動方向が反射型偏光部材２００Ａの透過軸方向なので、反射型偏光部材２００Ａを第２偏光のまま透過する。
第２液晶セル３０４において、反射型偏光部材２００Ａを透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１Ａで遮光される。
【０１２１】
（２−１−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
反射型偏光部材２００Ａにおいて、第２液晶セル３０４において方向転換された第２偏光は、振動方向が反射型偏光部材２００Ａの透過軸方向なので、反射型偏光部材２００Ａを第２偏光のまま透過する。
第１液晶セル１０４において、反射型偏光部材２００Ａを透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の吸収軸方向なので吸収されて遮光される。
すなわち、外光は、積層体１Ａで遮光される。
【０１２２】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００Ａにおいて、第１液晶セル１０４を透過した第１偏光は、振動方向が反射型偏光部材２００Ａの反射軸方向なので反射される。
第１液晶セル１０４において、反射型偏光部材２００Ａで反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１Ａにおいて反射されて観察者側に戻る。
【０１２３】
以上、第２実施形態のパターン（２−１）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
【０１２４】
（２−２）
パターン（２−２）は、第１吸収型偏光部材１０２の透過軸方向が第１方向、反射型偏光部材２００Ａの反射軸方向が第１方向、第２吸収型偏光部材３０２の透過軸方向が第２方向である。
【０１２５】
表８に、パターン（２−２）の積層体１Ａにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ａに入射した光の取りうる状態を示す。
積層体１Ａには、観察者側と外部側とから光が入射する。
【０１２６】
【表８】
2018070500.tif 000010
【０１２７】
（２−２−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
反射型偏光部材２００Ａにおいて、第２液晶セル３０４を透過した第２偏光は、振動方向が反射型偏光部材２００Ａの透過軸方向なので、反射型偏光部材２００Ａをそのまま透過する。
第１液晶セル１０４において、反射型偏光部材２００Ａを透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の吸収軸方向なので吸収されて遮光される。
すなわち、外光は、積層体１Ａで遮光される。
【０１２８】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００Ａにおいて、第１液晶セル１０４を透過した第１偏光は、振動方向が反射型偏光部材２００Ａの反射軸方向なので反射される。
第１液晶セル１０４において、反射型偏光部材２００Ａで反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１Ａにおいて反射されて観察者側に戻る。
【０１２９】
（２−２−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
反射型偏光部材２００Ａにおいて、第２液晶セル３０４において方向転換されたた第１偏光は、振動方向が反射型偏光部材２００Ａの反射軸方向なので反射される。
第２液晶セル３０４において、反射型偏光部材２００Ａで反射された第１偏光は、第２液晶セル３０４がＯＮなので、振動方向が９０°方向転換されて第２偏光となる。
第２吸収型偏光部材３０２において、第２液晶セル３０４で方向転換された第２偏光は、振動方向が第２吸収型偏光部材３０２の透過軸方向なので、そのまま透過される。
すなわち、外光は、積層体１において反射される。
【０１３０】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００Ａにおいて、第１液晶セル１０４で方向転換されたた第２偏光は、振動方向が反射型偏光部材２００Ａの透過軸方向なので、反射型偏光部材２００Ａを第２偏光のまま透過する。
第２液晶セル３０４において、反射型偏光部材２００Ａを透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の吸収軸方向なので吸収されて遮光される。
すなわち、観察者側から入射した光は、積層体１Ａで遮光される。
【０１３１】
（２−２−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
反射型偏光部材２００Ａにおいて第２液晶セル３０４を透過した第２偏光は、振動方向が反射型偏光部材２００Ａの透過軸方向なので、反射型偏光部材２００Ａを第２偏光のまま透過する。
第１液晶セル１０４において、反射型偏光部材２００Ａを反射した第２偏光は、第１液晶セル１０４がＯＮなので、振動方向が９０°方向転換されて第１偏光となる。
第１吸収型偏光部材１０２において、第１液晶セル１０４で方向転換された第１偏光は、振動方向が第１吸収型偏光部材１０２の透過軸方向なので、そのまま透過する。
すなわち、外光は、積層体１Ａを透過する。
【０１３２】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００Ａにおいて、第１液晶セル１０４を透過した第２偏光は、振動方向が反射型偏光部材２００Ａの透過軸方向なので、反射型偏光部材２００Ａを第２偏光のまま透過する。
第２液晶セル３０４において、反射型偏光部材２００Ａを透過した第２偏光は、第２液晶セル３０４がＯＦＦなので、振動方向は第２偏光のまま透過する。
第２吸収型偏光部材３０２において、第２液晶セル３０４を透過した第２偏光は、振動方向が第２吸収型偏光部材３０２の透過軸方向なので、そのまま透過する。
すなわち、観察者側から入射した光は、積層体１Ａを透過する。
【０１３３】
（２−２−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
反射型偏光部材２００Ａにおいて、第２液晶セル３０４を透過した第１偏光は、振動方向が反射型偏光部材２００Ａの反射軸方向なので反射される。
第２液晶セル３０４において、反射型偏光部材２００Ａで反射された第１偏光は、第２液晶セル３０４がＯＦＦなので、そのまま透過する。
第２吸収型偏光部材３０２において、第２液晶セル３０４を透過した第１偏光は、振動方向が第２吸収型偏光部材３０２の透過軸方向なので、そのまま透過する。
すなわち、外光は、積層体１において反射される。
【０１３４】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００Ａにおいて、第１液晶セル１０４を透過した第２偏光は、振動方向が反射型偏光部材２００Ａの反射軸方向なので、反射する。
第２液晶セル３０４において、反射型偏光部材２００Ａで反射された第２偏光は、第２液晶セル３０４がＯＦＦなので、第２偏光のまま透過する。
第１吸収型偏光部材１０２において、第２液晶セル３０４を透過した第２偏光は、振動方向が第１吸収型偏光部材１０２の透過軸方向なのでそのまま透過する。
すなわち、観察者側から入射した光は、積層体１Ａにおいて反射する。
【０１３５】
以上、第１実施形態のパターン（２−２）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
【０１３６】
（２−３）
パターン（２−３）は、第１吸収型偏光部材１０２の透過軸方向が第２方向、反射型偏光部材２００Ａの反射軸方向が第１方向、第２吸収型偏光部材３０２の透過軸方向が第１方向である。
【０１３７】
表９に、パターン（２−３）の積層体１Ａにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ａに入射した光の取りうる状態を示す。
積層体１Ａには、観察者側と外部側とから光が入射する。
【０１３８】
【表９】
2018070500.tif 000011
【０１３９】
（２−３−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
反射型偏光部材２００Ａにおいて、第２液晶セル３０４を透過した第１偏光は、振動方向が反射型偏光部材２００Ａの反射軸方向なので反射される。
第２液晶セル３０４において、反射型偏光部材２００Ａで反射された第１偏光は、第２液晶セル３０４がＯＦＦなので、そのまま透過する。
第２吸収型偏光部材３０２において、第２液晶セル３０４を透過した第１偏光は、振動方向が第２吸収型偏光部材３０２の透過軸方向なので、そのまま透過する。
すなわち、外光は、積層体１において反射される。
【０１４０】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００Ａにおいて、第１液晶セル１０４を透過した第２偏光は、振動方向が反射型偏光部材２００Ａの透過軸方向なので、そのまま透過する。
第２液晶セル３０４において、反射型偏光部材２００Ａを透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１Ａで遮光される。
【０１４１】
（２−３−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
反射型偏光部材２００Ａにおいて、第２液晶セル３０４で方向転換された第２偏光は、振動方向が反射型偏光部材２００Ａの透過軸方向なので、反射型偏光部材２００Ａを第２偏光のまま透過する。
第１液晶セル１０４において、反射型偏光部材２００Ａで反射された第２偏光は、第１液晶セル１０４がＯＮなので、振動方向が９０°方向転換されて第１偏光となる。
第１吸収型偏光部材１０２において、第１液晶セル１０４で方向転換された第１偏光は、振動方向が第１吸収型偏光部材１０２の吸収軸方向なので吸収されて遮光される。
すなわち、外光は、積層体１Ａで遮光される。
【０１４２】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＮなので、振動方向が９０°方向転換されて第１偏光となる。
反射型偏光部材２００Ａにおいて、第１液晶セル１０４を透過した第１偏光は、振動方向が反射型偏光部材２００Ａの反射軸方向なので反射される。
第１液晶セル１０４において、反射型偏光部材２００Ａで反射された第１偏光は、第１液晶セル１０４がＯＮなので、振動方向が９０°方向転換されて第２偏光となる。
第１吸収型偏光部材１０２において、第１液晶セル１０４を透過した第２偏光は、振動方向が第１吸収型偏光部材１０２の透過軸方向なので透過する。
すなわち、観察者側から入射した光は、積層体１Ａにおいて反射されて観察者側に戻る。
【０１４３】
（２−３−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
反射型偏光部材２００Ａにおいて、第２液晶セル３０４を透過した第１偏光は、振動方向が反射型偏光部材２００Ａの反射軸方向なので反射される。
第２液晶セル３０４において、反射型偏光部材２００Ａで反射された第１偏光は、第２液晶セル３０４がＯＦＦなので、そのまま透過する。
第２吸収型偏光部材３０２において、第２液晶セル３０４を透過した第１偏光は、振動方向が第２吸収型偏光部材３０２の透過軸方向なので、そのまま透過する。
すなわち、外光は、積層体１において反射される。
【０１４４】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＮなので、振動方向が９０°方向転換されて第１偏光となる。
反射型偏光部材２００Ａにおいて、第１液晶セル１０４を透過した第１偏光は、振動方向が反射型偏光部材２００Ａの反射軸方向なので反射される。
第１液晶セル１０４において、反射型偏光部材２００Ａで反射された第１偏光は、第１液晶セル１０４がＯＮなので、振動方向が９０°方向転換されて第２偏光となる。
第１吸収型偏光部材１０２において、第１液晶セル１０４を透過した第２偏光は、振動方向が第１吸収型偏光部材１０２の透過軸方向なので透過する。
すなわち、観察者側から入射した光は、積層体１Ａにおいて反射されて観察者側に戻る。
【０１４５】
（２−３−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
反射型偏光部材２００Ａにおいて、第２液晶セル３０４で方向転換された第２偏光は、振動方向が反射型偏光部材２００Ａの透過軸方向なので、反射型偏光部材２００Ａを第２偏光のまま透過する。
第１液晶セル１０４において、反射型偏光部材２００Ａを透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の透過軸方向なので透過される。
すなわち、外光は、積層体１Ａを透過する。
【０１４６】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００Ａにおいて、第１液晶セル１０４を透過した第２偏光は、振動方向が反射型偏光部材２００Ａの透過軸方向なので、そのまま透過する。
第２液晶セル３０４において、反射型偏光部材２００Ａを透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の透過軸方向なので、そのまま透過する。
すなわち、観察者側から入射した光は、積層体１Ａを透過する。
【０１４７】
以上、第１実施形態のパターン（２−３）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
【０１４８】
（２−４）
パターン（２−４）は、第１吸収型偏光部材１０２の透過軸方向が第２方向、反射型偏光部材２００Ａの反射軸方向が第１方向、第２吸収型偏光部材３０２の透過軸方向が第２方向である。
【０１４９】
表１０に、パターン（２−４）の積層体１Ａにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ａに入射した光の取りうる状態を示す。
積層体１Ａには、観察者側と外部側とから光が入射する。
【０１５０】
【表１０】
2018070500.tif 000012
【０１５１】
（２−４−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
反射型偏光部材２００Ａにおいて、第２液晶セル３０４を透過した第２偏光は、振動方向が反射型偏光部材２００Ａの透過軸方向なので、反射型偏光部材２００Ａを第２偏光のまま透過する。
第１液晶セル１０４において、反射型偏光部材２００Ａで透過された第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の透過軸方向なので透過する。
すなわち、外光は、積層体１Ａを透過する。
【０１５２】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００Ａにおいて、第１液晶セル１０４を透過した第２偏光は、振動方向が反射型偏光部材２００Ａの透過軸方向なので、そのまま透過する。
第２液晶セル３０４において、反射型偏光部材２００Ａを透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の透過軸方向なので透過する。
すなわち、観察者側から入射した光は、積層体１Ａを透過する。
【０１５３】
（２−４−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
反射型偏光部材２００Ａにおいて、第２液晶セル３０４を透過した第１偏光は、振動方向が反射型偏光部材２００Ａの反射軸方向なので反射される。
第２液晶セル３０４において、反射型偏光部材２００Ａで反射された第１偏光は、第２液晶セル３０４がＯＮなので、振動方向が９０°方向転換されて第２偏光となる。
第２吸収型偏光部材３０２において、第２液晶セル３０４で方向転換された第２偏光は、振動方向が第２吸収型偏光部材３０２の透過軸方向なので透過する。
すなわち、外光は、積層体１において反射される。
【０１５４】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＮなので、振動方向が９０°方向転換されて第１偏光となる。
反射型偏光部材２００Ａにおいて、第１液晶セル１０４を透過した第１偏光は、振動方向が反射型偏光部材２００Ａの反射軸方向なので反射される。
第１液晶セル１０４において、反射型偏光部材２００Ａで反射された第１偏光は、第１液晶セル１０４がＯＮなので、振動方向が９０°方向転換されて第２偏光となる。
第１吸収型偏光部材１０２において、第１液晶セル１０４を透過した第２偏光は、振動方向が第１吸収型偏光部材１０２の透過軸方向なので透過する。
すなわち、観察者側から入射した光は、積層体１Ａにおいて反射されて観察者側に戻る。
【０１５５】
（２−４−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
反射型偏光部材２００Ａにおいて、第２液晶セル３０４を透過した第２偏光は、振動方向が反射型偏光部材２００Ａの透過軸方向なので、反射型偏光部材２００Ａを第２偏光のまま透過する。
第１液晶セル１０４において、反射型偏光部材２００Ａで反射された第２偏光は、第１液晶セル１０４がＯＮなので、振動方向が９０°方向転換されて第１偏光となる。
第１吸収型偏光部材１０２において、第１液晶セル１０４を透過した第１偏光は、振動方向が第１吸収型偏光部材１０２の吸収軸方向なので吸収されて遮光される。
すなわち、外光は、積層体１Ａで遮光される。
【０１５６】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第１２偏光は、第１液晶セル１０４がＯＮなので、振動方向が９０°方向転換されて第１偏光となる。
反射型偏光部材２００Ａにおいて、第１液晶セル１０４を透過した第１偏光は、振動方向が反射型偏光部材２００Ａの反射軸方向なので反射される。
第１液晶セル１０４において、反射型偏光部材２００Ａで反射された第１偏光は、第１液晶セル１０４がＯＮなので、振動方向が９０°方向転換されて第２偏光となる。
第１吸収型偏光部材１０２において、第１液晶セル１０４を透過した第２偏光は、振動方向が第１吸収型偏光部材１０２の透過軸方向なので透過する。
すなわち、観察者側から入射した光は、積層体１Ａにおいて反射されて観察者側に戻る。
【０１５７】
（２−４−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
反射型偏光部材２００Ａにおいて、第２液晶セル３０４を透過した第１偏光は、振動方向が反射型偏光部材２００Ａの反射軸方向なので反射される。
第２液晶セル３０４において、反射型偏光部材２００Ａで反射された第１偏光は、第２液晶セル３０４がＯＮなので、振動方向が９０°方向転換されて第２偏光となる。
第２吸収型偏光部材３０２において、第２液晶セル３０４で方向転換された第２偏光は、振動方向が第２吸収型偏光部材３０２の透過軸方向なので透過する。
すなわち、外光は、積層体１において反射される。
【０１５８】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００Ａにおいて、第１液晶セル１０４を透過した第２偏光は、振動方向が反射型偏光部材２００Ａの透過軸方向なので、そのまま透過する。
第２液晶セル３０４において反射型偏光部材２００Ａを透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の吸収軸方向なので吸収されて遮光される。
すなわち、観察者側から入射した光は、積層体１Ａで遮光される。
【０１５９】
以上、第２実施形態のパターン（２−４）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
【０１６０】
（第３実施形態）
図５は本発明の第３実施形態の積層体１Ｂの概略断面図である。図示するように積層体１Ｂは、第１液晶部材１００Ｂと、反射型偏光部材２００Ｂと、第２液晶部材３００Ｂとがこの順に設けられている。
【０１６１】
第３実施形態の積層体１Ｂが第１実施形態の積層体１と異なる点は、第２液晶部材３００Ｂの第２液晶セル３０４の第２液晶層３０８が液晶分子及び二色性色素を含み、ゲストホスト方式で駆動される点と、第２吸収型偏光部材及び第３吸収型偏光部材を含まず、第２液晶層３０８の配向制御には、ＴＮ方式が適用される点である。ＴＮ方式は、上述したように、電界の印加により、液晶分子の配向を垂直方向と水平ねじれ方向とで変化させ、光の旋光性を利用して透過光量を制御する方式である。
【０１６２】
ゲストホスト方式においては、透明電極３１１及び透明電極３１６への印加電圧を変化させることにより第２液晶層３０８内の電界を変化させ、垂直配向と水平配向との間で液晶分子の配向を変化させる。液晶分子の配向の変化に連動して二色性色素が移動し、これにより入射光の透過が制御される。
それ以外の点については第１実施形態と同様である。また同様な部分については同一の符号を付して説明を省略する。
本実施形態では、ゲストホスト方式で駆動される第２液晶セル３０４における第２液晶層３０８の配向制御にＴＮ方式が用いられ、印加電圧がＯＦＦの場合、第２液晶セル３０４を光は透過しない。印加電圧がＯＮの場合、全方向の光が透過する。本実施形態のようなゲストホスト型のＴＮ方式の液晶セルは、印加電圧によって液晶分子の配向状態が変化する液晶セルとしての機能と、特定の偏光を吸収する吸収型偏光部材としての機能の両方を備える場合がある。
【０１６３】
（３−１）
パターン（３−１）は、第１吸収型偏光部材１０２の透過軸方向が第１方向、反射型偏光部材２００Ｂの反射軸方向が第１方向である。
【０１６４】
表１１に、パターン（３−１）の積層体１Ｂにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｂに入射した光の取りうる状態を示す。
積層体１Ｂには、観察者側と外部側とから光が入射する。
【０１６５】
【表１１】
2018070500.tif 000013
【０１６６】
（３−１−Ａ）第２液晶セル３０４がＯＦＦ、第１液晶セル１０４がＯＦＦの場合
【０１６７】
（外光）
第２液晶セル３０４はＯＦＦなので、第２液晶セル３０４を光は透過しない。したがって、外光は遮光される。
【０１６８】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００Ｂにおいて、第１液晶セル１０４を透過した第１偏光は、振動方向が反射型偏光部材２００Ｂの反射軸方向なので反射される。
第１液晶セル１０４において、反射型偏光部材２００Ｂで反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１Ｂにおいて反射されて観察者側に戻る。
【０１６９】
（３−１−Ｂ）第２液晶セル３０４がＯＮ、第１液晶セル１０４がＯＮの場合
（外光）
第２液晶セル３０４はＯＮなので、全方向の光が透過する。
反射型偏光部材２００Ｂにおいて、第２偏光は透過し、第１偏光は反射する。
第１液晶セル１０４において、反射型偏光部材２００Ｂを透過した第２偏光は、第１液晶セル１０４がＯＮなので、振動方向が９０°方向転換されて第１偏光となる。
第１吸収型偏光部材１０２において、第１液晶セル１０４において方向転換された第１偏光は、振動方向が第１吸収型偏光部材１０２の透過軸方向なので、そのまま透過する。
すなわち、外光のうちの第１偏光は積層体１Ｂで反射され、第２偏光は、第１偏光に方向転換して積層体１Ｂを透過する、いわゆるハーフミラー状態となる。
【０１７０】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００Ｂにおいて、第１液晶セル１０４を透過した第２偏光は、振動方向が反射型偏光部材２００Ｂの透過軸方向なので、反射型偏光部材２００Ｂを第２偏光のまま透過する。
第２液晶セル３０４において、反射型偏光部材２００Ｂを透過した第２偏光は、第２液晶セル３０４がＯＮなので、そのまま透過する。
すなわち、観察者側から入射した光は、積層体１Ｂを透過する。
【０１７１】
（３−１−Ｃ）第２液晶セル３０４がＯＦＦ、第１液晶セル１０４がＯＮの場合
（外光）
第２液晶セル３０４はＯＦＦなので、第２液晶セル３０４を光は透過しない。したがって、外光は遮光される。
【０１７２】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＮなので、振動方向が９０°方向転換されて第２偏光となる。
反射型偏光部材２００Ｂにおいて、第１液晶セル１０４において方向転換された第２偏光は、振動方向が反射型偏光部材２００Ｂの透過軸方向なので、反射型偏光部材２００Ｂを第２偏光のまま透過する。
第２液晶セル３０４において、反射型偏光部材２００Ｂを透過した第２偏光は、第２液晶セル３０４がＯＦＦなので、遮光される。
すなわち、観察者側から入射した光は、積層体１Ｂで遮光される。
【０１７３】
（３−１−Ｄ）第２液晶セル３０４がＯＮ、第１液晶セル１０４がＯＦＦの場合
（外光）
第２液晶セル３０４はＯＮなので、全方向の光が透過する。
反射型偏光部材２００Ｂにおいて、第２偏光は透過し、第１偏光は反射する。
第１液晶セル１０４において、反射型偏光部材２００Ｂを透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の吸収軸方向なので吸収されて遮光される。
一方、反射型偏光部材２００Ｂを反射した第１偏光は、第２液晶セル３０４において透過する。
すなわち、外光のうちの第１偏光は積層体１Ｂで反射され、第２偏光は積層体１Ｂで遮光される。
【０１７４】
（観察者側から入射した光）
第１吸収型偏光部材１０２において、観察者側から入射した光のうちの第１吸収型偏光部材１０２の透過軸方向に振動する第１偏光は透過する。
第１液晶セル１０４において、第１吸収型偏光部材１０２を透過した第１偏光は、第１液晶セル１０４がＯＦＦなので、そのまま透過する。
反射型偏光部材２００Ｂにおいて、第１液晶セル１０４を透過した第１偏光は、振動方向が反射型偏光部材２００Ｂの反射軸方向なので反射される。
第１液晶セル１０４において、反射型偏光部材２００Ｂで反射された第１偏光は、第１液晶セル１０４がＯＦＦなので、そのまま透過する。
第１吸収型偏光部材１０２において、第１液晶セル１０４を透過した第１偏光は、振動方向が第１吸収型偏光部材１０２の透過軸方向なので、そのまま透過する。
すなわち、観察者側から入射した光は、積層体１Ｂにおいて反射されて観察者側に戻る。
【０１７５】
以上、第３実施形態のパターン（３−１）において、観察者側から入射する光は、第１液晶セル１０４及び第２液晶セル３０４のＯＮ／ＯＦＦの組み合わせを変更することによって、反射、透過、遮光の全ての状態を取ることができる。したがって第１実施形態と同様の効果を有する。
さらに、第２液晶セル３０４において、ゲストホスト型方式を採用するので、第２液晶部材３００Ｂでの吸収型偏光部材が不要であり、構造を簡易にすることができる。
【０１７６】
（３−２）
パターン（３−２）は、第１吸収型偏光部材１０２の透過軸方向が第２方向、反射型偏光部材２００Ｂの反射軸方向が第１方向である。
【０１７７】
表１２に、パターン（３−２）の積層体１Ｂにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｂに入射した光の取りうる状態を示す。
積層体１Ｂには、観察者側と外部側とから光が入射する。
【０１７８】
【表１２】
2018070500.tif 000014
【０１７９】
（３−２−Ａ）第２液晶セル３０４がＯＦＦ、第１液晶セル１０４がＯＦＦの場合
（外光）
第２液晶セル３０４はＯＦＦなので光は透過しない。したがって、外光は遮光される。
【０１８０】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００Ｂにおいて、第１液晶セル１０４を透過した第２偏光は、振動方向が反射型偏光部材２００Ｂの透過軸方向なので透過する。
第２液晶セル３０４はＯＦＦなので光は透過しない。したがって、反射型偏光部材２００Ｂを透過した第２偏光は遮光される。
したがって、観察者側から入射した光は遮光される。
【０１８１】
（３−２−Ｂ）第２液晶セル３０４がＯＮ、第１液晶セル１０４がＯＮの場合
（外光）
第２液晶セル３０４はＯＮなので、全方向の光が透過する。
反射型偏光部材２００Ｂにおいて、第２偏光は透過し、第１偏光は反射する。
第１液晶セル１０４において、反射型偏光部材２００Ｂを透過した第２偏光は、第１液晶セル１０４がＯＮなので、振動方向が９０°方向転換されて第１偏光となる。
第１吸収型偏光部材１０２において、第１液晶セル１０４において方向転換された第１偏光は、振動方向が第１吸収型偏光部材１０２の吸収軸方向なので吸収されて遮光される。
一方、反射型偏光部材２００Ｂを反射した第１偏光は、第２液晶セル３０４を透過する
すなわち、外光のうちの第１偏光は積層体１Ｂで反射され、第２偏光は遮光される。
【０１８２】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＮなので、振動方向が９０°方向転換されて第１偏光となる。
反射型偏光部材２００Ｂにおいて、第１液晶セル１０４を透過した第１偏光は、振動方向が反射型偏光部材２００Ｂの反射軸方向なので反射される。
第１液晶セル１０４において、反射型偏光部材２００Ｂで反射された第１偏光は、第１液晶セル１０４がＯＮなので、振動方向が９０°方向転換されて第２偏光となる。
第１吸収型偏光部材１０２において、第１液晶セル１０４において振動方向が９０°変更された第２偏光は、振動方向が第１吸収型偏光部材１０２の透過軸方向なので透過する。
すなわち、観察者側から入射した光は、積層体１Ｂにおいて反射されて観察者側に戻る。
【０１８３】
（３−２−Ｃ）第２液晶セル３０４がＯＦＦ、第１液晶セル１０４がＯＮの場合
（外光）
第２液晶セル３０４はＯＦＦなので光は透過しない。したがって、外光は遮光される。
【０１８４】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＮなので、振動方向が９０°方向転換されて第１偏光となる。
反射型偏光部材２００Ｂにおいて、第１液晶セル１０４を透過した第１偏光は、振動方向が反射型偏光部材２００Ｂの反射軸方向なので反射される。
第１液晶セル１０４において、反射型偏光部材２００Ｂで反射された第１偏光は、第１液晶セル１０４がＯＮなので、振動方向が９０°方向転換されて第２偏光となる。
第１吸収型偏光部材１０２において、第１液晶セル１０４において振動方向が９０°変更された第２偏光は、振動方向が第１吸収型偏光部材１０２の透過軸方向なので透過する。
すなわち、観察者側から入射した光は、積層体１Ｂにおいて反射されて観察者側に戻る。
【０１８５】
（３−２−Ｄ）第２液晶セル３０４がＯＮ、第１液晶セル１０４がＯＦＦの場合
（外光）
第２液晶セル３０４はＯＮなので、全方向の光が透過する。
反射型偏光部材２００Ｂにおいて、第２偏光は透過し、第１偏光は反射する。
第１液晶セル１０４において、反射型偏光部材２００Ｂを透過した第２偏光は、第１液晶セル１０４がＯＦＦなので、そのまま透過する。
第１吸収型偏光部材１０２において、第１液晶セル１０４を透過した第２偏光は、振動方向が第１吸収型偏光部材１０２の透過軸方向なので透過する。
一方、反射型偏光部材２００Ｂを反射した第１は、第２液晶セル３０４を透過する。
すなわち、外光のうち第２偏光は、積層体１Ｂを透過し、第１偏光は、積層体１Ｂを反射する。
【０１８６】
（観察者側から入射した光）
第１吸収型偏光部材１０２において、観察者側から入射した光のうちの第１吸収型偏光部材１０２の透過軸方向に振動する第２偏光は透過する。
第１液晶セル１０４において、第１吸収型偏光部材１０２を透過した第２偏光は、第１液晶セル１０４がＯＦＦなので、そのまま透過する。
反射型偏光部材２００Ｂにおいて、第１液晶セル１０４を透過した第２偏光は、振動方向が反射型偏光部材２００Ｂの透過軸方向なので透過する。
第２液晶セル３０４において、反射型偏光部材２００Ｂを透過した第２偏光は、第２液晶セル３０４がＯＮなので、そのまま透過する。
すなわち、観察者側から入射した光は、積層体１Ｂを透過する。
【０１８７】
以上、第３実施形態のパターン（３−２）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第２液晶セル３０４において、ゲストホスト型方式を採用するので、第２液晶部材３００Ｂでの吸収型偏光部材が不要であり、構造を簡易にすることができる。
【０１８８】
（第４実施形態）
図６は本発明の第４実施形態の積層体１Ｃの概略断面図である。図示するように積層体１Ｃは、第１液晶部材１００Ｃと、反射型偏光部材２００Ｃと、第２液晶部材３００Ｃとがこの順に設けられている。
【０１８９】
第４実施形態の積層体１Ｃが第１実施形態の積層体１Ｃと異なる点は、第１液晶部材１００Ｃの第１液晶セル１０４の第１液晶層１０８が液晶分子及び二色性色素を含み、ゲストホスト方式で駆動される点と、第１吸収型偏光部材１０２を含まない点である。第１液晶層１０８の配向制御には、ＶＡ方式が適用される点は同様である。
それ以外の点については第１実施形態と同様である。また同様な部分については同一の符号を付して説明を省略する。
本実施形態では、ゲストホスト方式で駆動される第１液晶セル１０４における第１液晶層１０８の配向制御にＶＡ方式が用いられ、印加電圧がＯＦＦの場合、第１液晶セル１０４を全方向の光が透過する。印加電圧がＯＮの場合、第１偏光が遮光され、第２偏光が透過する。本実施形態のゲストホスト型のＶＡ方式の液晶セルは、印加電圧によって液晶分子の配向状態が変化する液晶セルとしての機能と、特定の偏光を吸収する吸収型偏光部材としての機能の両方を備える（他の実施形態でも同様である）。
【０１９０】
（４−１）
パターン（４−１）は、反射型偏光部材２００Ｃの反射軸方向が第１方向、第３吸収型偏光部材３０３の透過軸方向が第２方向、第２吸収型偏光部材３０２の透過軸方向が第１方向である。
【０１９１】
表１３に、パターン（４−１）の積層体１Ｃにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｃに入射した光の取りうる状態を示す。
積層体１Ｃには観察者側と外部側とから光が入射する。
【０１９２】
【表１３】
2018070500.tif 000015
【０１９３】
（４−１−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１Ｃで遮光される。
【０１９４】
（観察者側から入射した光）
第１液晶セル１０４はＯＮなので、全方向の光が透過する。
反射型偏光部材２００Ｃにおいて、第２偏光は透過し、第１偏光は反射する。
（透過光）
第３吸収型偏光部材３０３において、反射型偏光部材２００Ｃを透過した第２偏光は、振動方向が第３吸収型偏光部材３０３の透過軸方向なので、そのまま透過する。
第２液晶セル３０４において、反射型偏光部材２００Ｃを透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
（反射光）
一方、反射型偏光部材２００Ｃで反射された第１偏光は、第１液晶セル１０４において、第１液晶セル１０４がＯＦＦなので、そのまま透過する。
すなわち、観察者側から入射した光のうちの第２偏光は積層体１Ｃにおいて遮光され、第１偏光は反射されて観察者側に戻る。
【０１９５】
（４−１−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
第３吸収型偏光部材３０３において、第２液晶セル３０４を透過した第２偏光は、振動方向が第３吸収型偏光部材３０３の透過軸方向なので、そのまま透過する。
反射型偏光部材２００Ｃにおいて、第３吸収型偏光部材３０３を透過した第２偏光は、振動方向が反射型偏光部材２００Ｃの透過軸方向なので、反射型偏光部材２００Ｃを第２偏光のまま透過する。
第１液晶セル１０４において、反射型偏光部材２００Ｃを透過した第２偏光は、第１液晶セル１０４がＯＮなのでそのまま透過する。
すなわち、外光は、積層体１Ｃを透過する。
【０１９６】
（観察者側から入射した光）
第１液晶セル１０４において、観察者側から入射した光のうち第２偏光は、第１液晶セル１０４がＯＮなので透過する。
反射型偏光部材２００Ｃにおいて、第１液晶セル１０４を透過した第２偏光は、振動方向が反射型偏光部材２００Ｃの透過軸方向なので、反射型偏光部材２００Ｃを第２偏光のまま透過する。
第３吸収型偏光部材３０３において、反射型偏光部材２００Ｃを透過した第２偏光は、振動方向が第３吸収型偏光部材３０３の透過軸方向なので、そのまま透過する。
第２液晶セル３０４において、反射型偏光部材２００Ｃを透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の透過軸方向なので、そのまま透過する。
すなわち、観察者側から入射した光は、積層体１Ｃを透過する。
【０１９７】
（４−１−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１Ｃで遮光される。
【０１９８】
（観察者側から入射した光）
第１液晶セル１０４において、観察者側から入射した光のうちの第２偏光は、第１液晶セル１０４がＯＮなので、そのまま透過する。
反射型偏光部材２００Ｃにおいて、第１液晶セル１０４を透過した第２偏光は、振動方向が反射型偏光部材２００Ｃの透過軸方向なので、反射型偏光部材２００Ｃを第２偏光のまま透過する。
第３吸収型偏光部材３０３において、反射型偏光部材２００Ｃを透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１Ｃで遮光される。
【０１９９】
（４−１−Ｄ）第２液晶セル３０４がＯＮ、第１液晶セル１０４がＯＦＦの場合
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
第３吸収型偏光部材３０３において、第２液晶セル３０４を透過した第２偏光は、振動方向が第３吸収型偏光部材３０３の透過軸方向なので、そのまま透過する。
反射型偏光部材２００Ｃにおいて、第３吸収型偏光部材３０３を透過した第２偏光は、振動方向が反射型偏光部材２００Ｃの透過軸方向なので、反射型偏光部材２００Ｃを第２偏光のまま透過する。
第１液晶セル１０４において、反射型偏光部材２００Ｃを透過した第２偏光は、第１液晶セル１０４がＯＦＦなので、そのまま透過する。
すなわち、外光は、積層体１Ｃを透過する。
【０２００】
（観察者側から入射した光）
第１液晶セル１０４において、観察者側から入射した光は、第１液晶セル１０４がＯＦＦなので、そのまま透過する。
反射型偏光部材２００Ｃにおいて、第２偏光は透過し、第１偏光は反射する。
（透過光）
第３吸収型偏光部材３０３において、反射型偏光部材２００Ｃを透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＮなので、９０°方向転換されて第１偏光となる。
第２吸収型偏光部材３０２において、第２液晶セル３０４で方向転換した第１偏光は、振動方向が第２吸収型偏光部材３０２の透過軸方向なので透過される。
（反射光）
一方、反射型偏光部材２００Ｃで反射された第１偏光は、第１液晶セル１０４において、第１液晶セル１０４がＯＦＦなので、そのまま透過する。
すなわち、観察者側から入射した光のうちの第２偏光は積層体１Ｃを透過し、第１偏光は反射されて観察者側に戻る、いわゆるハーフミラー状態となる。
【０２０１】
以上、第４実施形態のパターン（４−１）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第１液晶セル１０４において、ゲストホスト型方式を採用するので、第１液晶部材１００Ｃでの吸収型偏光部材が不要であり、構造を簡易にすることができる。
【０２０２】
（４−２）
パターン（４−２）は、反射型偏光部材２００Ｃの反射軸方向が第１方向、第３吸収型偏光部材３０３の透過軸方向が第２方向、第２吸収型偏光部材３０２の透過軸方向が第２方向である。
【０２０３】
表１４に、パターン（４−２）の積層体１Ｃにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｃに入射した光の取りうる状態を示す。
積層体１Ｃには、観察者側と外部側とから光が入射する。
【０２０４】
【表１４】
2018070500.tif 000016
【０２０５】
（４−２−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
第３吸収型偏光部材３０３において、第２液晶セル３０４を透過した第２偏光は、振動方向が第３吸収型偏光部材３０３の透過軸方向なので、そのまま透過する。
反射型偏光部材２００Ｃにおいて、第３吸収型偏光部材３０３を透過した第２偏光は、振動方向が反射型偏光部材２００Ｃの透過軸方向なので、反射型偏光部材２００Ｃを第２偏光のまま透過する。
第１液晶セル１０４において、反射型偏光部材２００Ｃで反射された第２偏光は、第１液晶セル１０４がＯＦＦなので、そのまま透過する。
すなわち、外光は、積層体１Ｃを透過する。
【０２０６】
（観察者側から入射した光）
第１液晶セル１０４はＯＮなので、全方向の光が透過する。
反射型偏光部材２００Ｃにおいて、第２偏光は透過し、第１偏光は反射する。
（透過光）
反射型偏光部材２００Ｃを透過した第２偏光は、第３吸収型偏光部材３０３において、振動方向が第３吸収型偏光部材３０３の透過軸方向なので、そのまま透過する。
第２液晶セル３０４において、反射型偏光部材２００Ｃを透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の透過軸方向なので透過する。
（反射光）
一方、反射型偏光部材２００Ｃで反射された第１偏光は、第１液晶セル１０４において、第１液晶セル１０４がＯＦＦなので、そのまま透過する。
すなわち、観察者側から入射した光のうちの第２偏光は積層体１Ｃにおいて遮光され、第１偏光は反射されて観察者側に戻る。
すなわち、観察者側から入射した光のうちの第１偏光は、積層体１Ｃにおいて反射されて観察者側に戻り、第２偏光は積層体１Ｃを透過する。したがって、積層体１ＣＤはハーフミラーとして機能する。
【０２０７】
（４−２−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
第３吸収型偏光部材３０３において、第２液晶セル３０４で方向転換した第１偏光は、振動方向が第３吸収型偏光部材３０３の吸収軸方向なので、吸収されて遮光される。
すなわち、外光は、積層体１Ｃで遮光される。
【０２０８】
（観察者側から入射した光）
第１液晶セル１０４において、観察者側から入射した光のうちの第２偏光は、第１液晶セル１０４がＯＮなので透過する。
反射型偏光部材２００Ｃにおいて、第１液晶セル１０４を透過した第２偏光は、振動方向が反射型偏光部材２００Ｃの透過軸方向なので、反射型偏光部材２００Ｃを第２偏光のまま透過する。
第３吸収型偏光部材３０３において、反射型偏光部材２００Ｃを透過した第２偏光は、振動方向が第３吸収型偏光部材３０３の透過軸方向なので、そのまま透過する。
第２液晶セル３０４において、反射型偏光部材２００Ｃを透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の吸収軸方向なので吸収されて遮光される。
すなわち、観察者側から入射した光は、積層体１Ｃで遮光される。
【０２０９】
（４−２−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＦＦなので、そのまま透過する。
第３吸収型偏光部材３０３において、第２液晶セル３０４を透過した第２偏光は、振動方向が第３吸収型偏光部材３０３の透過軸方向なので、そのまま透過する。
反射型偏光部材２００Ｃにおいて、第３吸収型偏光部材３０３を透過した第２偏光は、振動方向が反射型偏光部材２００Ｃの透過軸方向なので、反射型偏光部材２００Ｃを第２偏光のまま透過する。
第１液晶セル１０４において、反射型偏光部材２００Ｃで反射された第２偏光は、第１液晶セル１０４がＯＮなので、そのまま透過する。
すなわち、外光は、積層体１Ｃを透過する。
【０２１０】
（観察者側から入射した光）
第１液晶セル１０４において、観察者側から入射した光のうちの第２偏光は、第１液晶セル１０４がＯＮなので、そのまま透過する。
反射型偏光部材２００Ｃにおいて、第１液晶セル１０４を透過した第２偏光は、振動方向が反射型偏光部材２００Ｃの透過軸方向なので、反射型偏光部材２００Ｃを第２偏光のまま透過する。
第３吸収型偏光部材３０３において、反射型偏光部材２００Ｃを透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の透過軸方向なので、そのまま透過する。
すなわち、観察者側から入射した光は、積層体１Ｃを透過する。
【０２１１】
（４−２−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第２偏光は透過する。
第２液晶セル３０４において、第２吸収型偏光部材３０２を透過した第２偏光は、第２液晶セル３０４がＯＮなので、振動方向が９０°方向転換されて第１偏光となる。
第３吸収型偏光部材３０３において、第２液晶セル３０４を透過した第１偏光は、振動方向が第３吸収型偏光部材３０３の吸収軸方向なので吸収される。
すなわち、外光は、積層体１Ｃで遮光される。
【０２１２】
（観察者側から入射した光）
第１液晶セル１０４において、観察者側から入射した光は、第１液晶セル１０４がＯＦＦなので、そのまま透過する。
反射型偏光部材２００Ｃにおいて、第２偏光は透過し、第１偏光は反射する。
（透過光）
反射型偏光部材２００Ｃを透過した第２偏光は、第３吸収型偏光部材３０３において、振動方向が第３吸収型偏光部材３０３の透過軸方向なので、そのまま透過する。
第２液晶セル３０４において、反射型偏光部材２００Ｃを透過した第２偏光は、第２液晶セル３０４がＯＮなので、９０°方向転換されて第１偏光となる。
第２吸収型偏光部材３０２において、第２液晶セル３０４で方向転換した第１偏光は、振動方向が第２吸収型偏光部材３０２の吸収軸方向なので吸収される。
（反射光）
一方、反射型偏光部材２００Ｃで反射された第１偏光は、第１液晶セル１０４において、第１液晶セル１０４がＯＦＦなので、そのまま透過する。
すなわち、観察者側から入射した光のうちの第２偏光は積層体１Ｃにおいて遮光され、第１偏光は反射されて観察者側に戻る。
【０２１３】
以上、第４実施形態のパターン（４−２）においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第１液晶セル１０４において、ゲストホスト型方式を採用するので、第１液晶部材１００Ｃでの吸収型偏光部材が不要であり、構造を簡易にすることができる。
【０２１４】
（第５実施形態）
図７は本発明の第５実施形態の積層体１Ｄの概略断面図である。図示するように積層体１Ｄは、第１液晶部材１００Ｄと、反射型偏光部材２００Ｄと、第２液晶部材３００Ｄとがこの順に設けられている。
【０２１５】
第５実施形態の積層体１Ｄは、第４実施形態の積層体１Ｃと略同様であるが、第３吸収型偏光部材３０３を含まない点が異なる。それ以外の点については第４実施形態と同様なので同様な部分の説明を省略する。
【０２１６】
第５実施形態は、反射型偏光部材２００Ｄの反射軸方向が第１方向、第２吸収型偏光部材３０２の透過軸方向が第１方向である。
【０２１７】
表１５に、第５実施形態の積層体１Ｄにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｄに入射した光の取りうる状態を示す。
積層体１Ｄには、積層体１Ｄの一方である観察者側と、積層体１Ｄの他方である、外部側とから光が入射する。
【０２１８】
【表１５】
2018070500.tif 000017
【０２１９】
（５−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
反射型偏光部材２００Ｄにおいて、第２液晶セル３０４を透過した第１偏光は反射される。
第２液晶セル３０４において、反射型偏光部材２００Ｄで反射された第１偏光は、第２液晶セル３０４がＯＦＦなので透過する。
第２吸収型偏光部材３０２において、第２液晶セル３０４を透過した第１偏光は透過する。
すなわち、外光は、積層体１Ｄで反射される。
【０２２０】
（観察者側から入射した光）
第１液晶セル１０４はＯＮなので、全方向の光が透過する。
反射型偏光部材２００Ｄにおいて、第２偏光は透過し、第１偏光は反射する。
（透過光）
第２液晶セル３０４において、反射型偏光部材２００Ｄを透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
（反射光）
一方、反射型偏光部材２００Ｄで反射された第１偏光は、第１液晶セル１０４において、第１液晶セル１０４がＯＦＦなので、そのまま透過する。
すなわち、観察者側から入射した光のうちの第２偏光は積層体１Ｄにおいて遮光され、第１偏光は反射されて観察者側に戻る。
【０２２１】
（５−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
反射型偏光部材２００Ｄにおいて、第２液晶セル３０４で方向転換した第２偏光は、振動方向が反射型偏光部材２００Ｄの透過軸方向なので、そのまま透過する。
第１液晶セル１０４において、反射型偏光部材２００Ｄを透過した第２偏光は、第１液晶セル１０４がＯＮなのでそのまま透過する。
すなわち、外光は、積層体１Ｄを透過する。
【０２２２】
（観察者側から入射した光）
第１液晶セル１０４において、観察者側から入射した光のうちの第２偏光は、第１液晶セル１０４がＯＮなので透過する。
反射型偏光部材２００Ｄにおいて、第１液晶セル１０４を透過した第２偏光は、振動方向が反射型偏光部材２００Ｄの透過軸方向なので、そのまま透過する。
第２液晶セル３０４において、反射型偏光部材２００Ｄを透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の透過軸方向なので、そのまま透過する。
すなわち、観察者側から入射した光は、積層体１Ｄを透過する。
【０２２３】
（５−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
反射型偏光部材２００Ｄにおいて、第２液晶セル３０４を透過した第１偏光は反射される。
第２液晶セル３０４において、反射型偏光部材２００Ｄで反射された第１偏光は、第２液晶セル３０４がＯＦＦなので透過する。
第２吸収型偏光部材３０２において、第２液晶セル３０４を透過した第１偏光は透過する。
すなわち、外光は、積層体１Ｄで反射される。
【０２２４】
（観察者側から入射した光）
第１液晶セル１０４において、観察者側から入射した光のうちの第２偏光は、第１液晶セル１０４がＯＮなので、そのまま透過する。
反射型偏光部材２００Ｄにおいて、第１液晶セル１０４を透過した第２偏光は、振動方向が反射型偏光部材２００Ｄの透過軸方向なので、反射型偏光部材２００Ｄを第２偏光のまま透過する。
第２液晶セル３０４において、反射型偏光部材２００Ｄを透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１Ｄで遮光される。
【０２２５】
（５−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
反射型偏光部材２００Ｄにおいて、第２液晶セル３０４を透過した第２偏光は、振動方向が反射型偏光部材２００Ｄの透過軸方向なので、透過する。
第１液晶セル１０４において、反射型偏光部材２００Ｄを透過した第２偏光は、第１液晶セル１０４がＯＦＦなので、そのまま透過する。
すなわち、外光は、積層体１Ｄを透過する。
【０２２６】
（観察者側から入射した光）
第１液晶セル１０４において、観察者側から入射した光は、第１液晶セル１０４がＯＦＦなので、そのまま透過する。
反射型偏光部材２００Ｄにおいて、第２偏光は透過し、第１偏光は反射する。
（透過光）
第２液晶セル３０４において、反射型偏光部材２００Ｄを透過した第２偏光は、第２液晶セル３０４がＯＮなので、９０°方向転換されて第１偏光となる。
第２吸収型偏光部材３０２において、第２液晶セル３０４を透過した第１偏光は、振動方向が第２吸収型偏光部材３０２の透過軸方向なので透過される。
（反射光）
一方、反射型偏光部材２００Ｄで反射された第１偏光は、第１液晶セル１０４において、第１液晶セル１０４がＯＦＦなので、そのまま透過する。
すなわち、観察者側から入射した光のうちの第２偏光は積層体１Ｄにおいて遮光され、第１偏光は反射されて観察者側に戻り、積層体１Ｄはハーフミラーとして機能する。
【０２２７】
以上、第５実施形態においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第１液晶セル１０４において、ゲストホスト型方式を採用するので、第１液晶部材１００Ｄでの吸収型偏光部材が不要であり、構造を簡易にすることができる。
【０２２８】
（第６実施形態）
図８は本発明の第６実施形態の積層体１Ｅの概略断面図である。図示するように積層体１Ｅは、第１液晶部材１００Ｅと、反射型偏光部材２００Ｅと、第２液晶部材３００Ｅとがこの順に設けられている。
【０２２９】
第６実施形態の積層体１Ｅは、第４実施形態の積層体１Ｃと略同様で、第１液晶部材１００Ｅの第１液晶セル１０４の第１液晶層１０８が液晶分子及び二色性色素を含むゲストホスト型液晶であるが、第１液晶層１０８の配向制御には、ＩＰＳ方式が適用される点が異なる。それ以外の点については第４実施形態と同様である。同様な部分については同一の符号を付して説明を省略する。
ＩＰＳ方式とは、上述したように、配向させた液晶分子を基板に対して横（水平）方向に回転させることにより透過光量を制御する方式である。
本実施形態の第１液晶部材１００Ｅの第１液晶セル１０４は、ＯＮのときに第２偏光を透過し、ＯＦＦのときに第１偏光を透過する。本実施形態のようなゲストホスト型のＩＰＳ方式の液晶セルは、印加電圧によって液晶分子の配向状態が変化する液晶セルとしての機能と、特定の偏光を吸収する吸収型偏光部材としての機能の両方を備える（他の実施形態でも同様である）。
【０２３０】
第６実施形態は、反射型偏光部材２００Ｅの反射軸方向が第１方向、第３吸収型偏光部材３０３の透過軸方向が第２方向、第２吸収型偏光部材３０２の透過軸方向が第１方向である。
【０２３１】
表１６に、第６実施形態の積層体１Ｅにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｅに入射した光の取りうる状態を示す。
積層体１Ｅには、積層体１Ｅの一方である、観察者側と、積層体１Ｅの他方である、外部側とから光が入射する。
【０２３２】
【表１６】
2018070500.tif 000018
【０２３３】
（６−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１Ｅで遮光される。
【０２３４】
（観察者側から入射した光）
第１液晶セル１０４において、第１液晶セル１０４がＯＦＦなので、観察者側から入射した光のうちの第１偏光が透過する。
反射型偏光部材２００Ｅにおいて、第１液晶セル１０４を透過した第１偏光は、振動方向が反射型偏光部材２００Ｅの反射軸方向なので反射される。
第１液晶セル１０４において、反射型偏光部材２００Ｅで反射された第１偏光は、第１液晶セル１０４がＯＦＦなので、そのまま透過する。
すなわち、観察者側から入射した光は、積層体１Ｅにおいて反射されて観察者側に戻る。
【０２３５】
（６−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
第３吸収型偏光部材３０３において、第２液晶セル３０４を透過した第２偏光は、振動方向が第３吸収型偏光部材３０３の透過軸方向なので、そのまま透過する。
反射型偏光部材２００Ｅにおいて、第３吸収型偏光部材３０３を透過した第２偏光は、振動方向が反射型偏光部材２００Ｅの透過軸方向なので、反射型偏光部材２００Ｅを第２偏光のまま透過する。
第１液晶セル１０４において、反射型偏光部材２００Ｅで反射された第２偏光は、第１液晶セル１０４がＯＮなので、透過する
すなわち、外光は、積層体１Ｅを透過する。
【０２３６】
（観察者側から入射した光）
第１液晶セル１０４において、第１液晶セル１０４がＯＮなので、観察者側から入射した光のうちの第２偏光が透過する。
反射型偏光部材２００Ｅにおいて、第１液晶セル１０４を透過した第２偏光は、振動方向が反射型偏光部材２００Ｅの透過軸方向なので、反射型偏光部材２００Ｅを第２偏光のまま透過する。
第３吸収型偏光部材３０３において、反射型偏光部材２００Ｅを透過した第２偏光は、振動方向が第３吸収型偏光部材３０３の透過軸方向なので、そのまま透過する。
第２液晶セル３０４において、反射型偏光部材２００Ｅを透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の透過軸方向なので、そのまま透過する。
すなわち、観察者側から入射した光は、積層体１Ｅを透過する。
【０２３７】
（６−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
第３吸収型偏光部材３０３において、第２液晶セル３０４を透過した第１偏光は、振動方向が第３吸収型偏光部材３０３の吸収軸方向なので吸収されて遮光される。
すなわち、外光は、積層体１Ｅで遮光される。
【０２３８】
（観察者側から入射した光）
第１液晶セル１０４において、第１液晶セル１０４がＯＮなので、観察者側から入射した光のうちの第２偏光が透過する。
反射型偏光部材２００Ｅにおいて、第１液晶セル１０４を透過した第２偏光は、振動方向が反射型偏光部材２００Ｅの透過軸方向なので、反射型偏光部材２００Ｅを第２偏光のまま透過する。
第３吸収型偏光部材３０３において、反射型偏光部材２００Ｅを透過した第２偏光は、振動方向が第３吸収型偏光部材３０３の透過軸方向なので、そのまま透過する。
第２液晶セル３０４において、第３吸収型偏光部材３０３を透過した第２偏光は、第２液晶セル３０４がＯＮなので、９０°方向転換されて第１偏光として透過する。
第２吸収型偏光部材３０２において、第２液晶セル３０４を透過した第１偏光は、振動方向が第２吸収型偏光部材３０２の吸収軸方向なので吸収されて遮光される。
すなわち、観察者側から入射した光は、積層体１Ｅで遮光される。
【０２３９】
（６−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
第３吸収型偏光部材３０３において、第２液晶セル３０４を透過した第２偏光は、振動方向が第３吸収型偏光部材３０３の透過軸方向なので、そのまま透過する。
反射型偏光部材２００Ｅにおいて、第３吸収型偏光部材３０３を透過した第２偏光は、振動方向が反射型偏光部材２００Ｅの透過軸方向なので、反射型偏光部材２００Ｅを第２偏光のまま透過する。
第１液晶セル１０４において、反射型偏光部材２００Ｅで反射された第２偏光は、第１液晶セル１０４がＯＦＦなので、遮光される。
すなわち、外光は、積層体１Ｅで遮光される。
【０２４０】
（観察者側から入射した光）
第１液晶セル１０４において、第１液晶セル１０４がＯＦＦなので、観察者側から入射した光のうちの第１偏光が透過する。
反射型偏光部材２００Ｅにおいて、第１液晶セル１０４を透過した第１偏光は、振動方向が反射型偏光部材２００Ｅの反射軸方向なので反射される。
第１液晶セル１０４において、反射型偏光部材２００Ｅで反射された第１偏光は、第１液晶セル１０４がＯＦＦなので、そのまま透過する。
すなわち、観察者側から入射した光は、積層体１Ｅにおいて反射されて観察者側に戻る。
【０２４１】
以上、第６実施形態においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第１液晶セル１０４において、ゲストホスト型方式を採用するので、第１液晶部材１００Ｅでの吸収型偏光部材が不要であり、構造を簡易にすることができる。
【０２４２】
（第７実施形態）
図９は本発明の第７実施形態の積層体１Ｆの概略断面図である。図示するように積層体１Ｆは、第１液晶部材１００Ｆと、反射型偏光部材２００Ｆと、第２液晶部材３００Ｆとがこの順に設けられている。
【０２４３】
第７実施形態の積層体１Ｆは、第６実施形態の積層体１Ｅと略同様であるが、第３吸収型偏光部材が設けられていない点が異なる。それ以外の点については第６実施形態と同様である。同様な部分については同一の符号を付して説明を省略する。
【０２４４】
第７実施形態は、反射型偏光部材２００Ｆの反射軸方向が第１方向、第２吸収型偏光部材３０２の透過軸方向が第１方向である。
【０２４５】
表１７に、第７実施形態の積層体１Ｆにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｆに入射した光の取りうる状態を示す。
積層体１Ｆには、積層体１Ｆの一方である、観察者側と、積層体１Ｆの他方である、外部側とから光が入射する。
【０２４６】
【表１７】
2018070500.tif 000019
【０２４７】
（７−Ａ）第２液晶セル３０４がＯＦＦ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
反射型偏光部材２００Ｆにおいて、第２液晶セル３０４を透過した第１偏光は反射される。
第２液晶セル３０４において、反射型偏光部材２００Ｆで反射された第１偏光は、第２液晶セル３０４がＯＦＦなので、そのまま透過する。
第２吸収型偏光部材３０２において、第２液晶セル３０４を透過した第１偏光は透過する。
すなわち、外光は、積層体１Ｆで反射される。
【０２４８】
（観察者側から入射した光）
第１液晶セル１０４において、第１液晶セル１０４がＯＦＦなので、観察者側から入射した光のうちの第１偏光が透過する。
反射型偏光部材２００Ｆにおいて、第１液晶セル１０４を透過した第１偏光は、振動方向が反射型偏光部材２００Ｆの反射軸方向なので反射される。
第１液晶セル１０４において、反射型偏光部材２００Ｆで反射された第１偏光は、第１液晶セル１０４がＯＦＦなので、そのまま透過する。
すなわち、観察者側から入射した光は、積層体１Ｆにおいて反射されて観察者側に戻る。
【０２４９】
（７−Ｂ）第２液晶セル３０４がＯＮ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
反射型偏光部材２００Ｆにおいて、第２液晶セル３０４で方向転換された第２偏光は透過する。
第１液晶セル１０４において、反射型偏光部材２００Ｆを透過した第２偏光は、第１液晶セル１０４がＯＮなので、透過する。
すなわち、外光は、積層体１Ｆを透過する。
【０２５０】
（観察者側から入射した光）
第１液晶セル１０４において、第１液晶セル１０４がＯＮなので、観察者側から入射した光のうちの第２偏光が透過する。
反射型偏光部材２００Ｆにおいて、第１液晶セル１０４を透過した第２偏光は、振動方向が反射型偏光部材２００Ｆの透過軸方向なので、反射型偏光部材２００Ｆを第２偏光のまま透過する。
第２液晶セル３０４において、反射型偏光部材２００Ｆを透過した第２偏光は、第２液晶セル３０４がＯＮなので、振動方向が９０°方向転換されて第１偏光となる。
第２吸収型偏光部材３０２において、第２液晶セル３０４を透過した第１偏光は、振動方向が第２吸収型偏光部材３０２の透過軸方向なので、そのまま透過する。
すなわち、観察者側から入射した光は、積層体１Ｆを透過する。
【０２５１】
（７−Ｃ）第２液晶セル３０４がＯＦＦ、第１液晶セル１０４がＯＮの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＦＦなので、そのまま透過する。
反射型偏光部材２００Ｆにおいて、第２液晶セル３０４を透過した第１偏光は反射される。
第２液晶セル３０４において、反射型偏光部材２００Ｆで反射された第１偏光は、第２液晶セル３０４がＯＦＦなので、そのまま透過する。
第２吸収型偏光部材３０２において、第２液晶セル３０４を透過した第１偏光は透過する。
すなわち、外光は、積層体１Ｆで反射される。
【０２５２】
（観察者側から入射した光）
第１液晶セル１０４において、第１液晶セル１０４がＯＮなので、観察者側から入射した光のうちの第２偏光が透過する。
反射型偏光部材２００Ｆにおいて、第１液晶セル１０４を透過した第２偏光は、振動方向が反射型偏光部材２００Ｆの透過軸方向なので、透過する。
第２液晶セル３０４において、反射型偏光部材２００Ｆを透過した第２偏光は、第２液晶セル３０４がＯＦＦなので、そのまま透過する。
第２吸収型偏光部材３０２において、第２液晶セル３０４を透過した第２偏光は、振動方向が第２吸収型偏光部材３０２の吸収軸方向なので吸収されて遮光される。
すなわち、観察者側から入射した光は、積層体１Ｆで遮光される。
【０２５３】
（７−Ｄ）第２液晶セル３０４がＯＮ、第１液晶セル１０４がＯＦＦの場合
（外光）
第２吸収型偏光部材３０２において、外光のうちの第２吸収型偏光部材３０２の透過軸方向に振動する第１偏光は透過する。
第２液晶セル３０４において、第２吸収型偏光部材３０２を透過した第１偏光は、第２液晶セル３０４がＯＮなので、振動方向が９０°方向転換されて第２偏光となる。
反射型偏光部材２００Ｆにおいて、第２液晶セル３０４を透過した第２偏光は、振動方向が反射型偏光部材２００Ｆの透過軸方向なので、反射型偏光部材２００Ｆを第２偏光のまま透過する。
第１液晶セル１０４において、反射型偏光部材２００Ｆを透過した第２偏光は、第１液晶セル１０４がＯＦＦなので、遮光される。
すなわち、外光は、積層体１Ｆで遮光される。
【０２５４】
（観察者側から入射した光）
第１液晶セル１０４において、第１液晶セル１０４がＯＦＦなので、観察者側から入射した光のうちの第１偏光が透過する。
反射型偏光部材２００Ｆにおいて、第１液晶セル１０４を透過した第１偏光は、振動方向が反射型偏光部材２００Ｆの反射軸方向なので反射される。
第１液晶セル１０４において、反射型偏光部材２００Ｆで反射された第１偏光は、第１液晶セル１０４がＯＦＦなので、そのまま透過する。
すなわち、観察者側から入射した光は、積層体１Ｆにおいて反射されて観察者側に戻る。
【０２５５】
以上、第７実施形態においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第１液晶セル１０１，第２液晶セル３０４において、ゲストホスト型方式を採用するので、第１液晶部材１００Ｆ，第２液晶部材３００Ｆでの吸収型偏光部材が不要であり、構造を簡易にすることができる。
【０２５６】
（第８実施形態）
図１０は本発明の第８実施形態の積層体１Ｇの概略断面図である。図示するように積層体１Ｇは、第１液晶部材１００Ｇと、反射型偏光部材２００Ｇと、第２液晶部材３００Ｇとがこの順に設けられている。
【０２５７】
第８実施形態の積層体１Ｇは、第７実施形態に対して、第２液晶セル３０４の第２液晶層３０８が、第１液晶セル１０４の第１液晶層１０８と同様に、ＩＰＳ方式のゲストホスト型液晶層である点が異なる。また、第２液晶セル３０４の第２液晶層３０８がゲストホスト型液晶層あるため、第２吸収型偏光部材も設けられていない。それ以外の点については第７実施形態と同様である。同様な部分については同一の符号を付して説明を省略する。
【０２５８】
第８実施形態は、反射型偏光部材２００Ｇの反射軸方向が第１方向である。第１液晶セル１０４の第１液晶層１０８と第２液晶セル３０４の第２液晶層３０８は、電圧がＯＦＦのときに第１偏光を透過して第２偏光を遮光し、電圧がＯＮのときに第１偏光を遮光して第２偏光を透過する。
【０２５９】
表１８に、第８実施形態の積層体１Ｇにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｇに入射した光の取りうる状態を示す。
積層体１Ｇには、観察者側と、外部側とから光が入射する。
【０２６０】
【表１８】
2018070500.tif 000020
【０２６１】
（８−Ａ）第２液晶セル３０４がＯＦＦ、第１液晶セル１０４がＯＦＦの場合
（外光）
第２液晶セル３０４において、第２液晶セル３０４がＯＦＦなので、外光のうちの第１偏光が透過する。
反射型偏光部材２００Ｇにおいて、第２液晶セル３０４を透過した第１偏光は、振動方向が反射型偏光部材２００Ｇの反射軸方向であるので、反射される。
第２液晶セル３０４において、反射型偏光部材２００Ｇで反射された第１偏光は、第２液晶セル３０４がＯＦＦなので、そのまま透過する。
すなわち、外光は、積層体１Ｇで反射される。
【０２６２】
（観察者側から入射した光）
第１液晶セル１０４において、第１液晶セル１０４がＯＦＦなので、観察者側から入射した光のうちの第１偏光が透過する。
反射型偏光部材２００Ｇにおいて、第１液晶セル１０４を透過した第１偏光は、振動方向が反射型偏光部材２００Ｇの反射軸方向なので反射される。
第１液晶セル１０４において、反射型偏光部材２００Ｇで反射された第１偏光は、第１液晶セル１０４がＯＦＦなので、そのまま透過する。
すなわち、観察者側から入射した光は、積層体１Ｇにおいて反射されて観察者側に戻る。
【０２６３】
（８−Ｂ）第２液晶セル３０４がＯＮ、第１液晶セル１０４がＯＮの場合
（外光）
第２液晶セル３０４において、第２液晶セル３０４がＯＮなので、外光のうちの第２偏光が透過する。
反射型偏光部材２００Ｇにおいて、第２液晶セル３０４を透過した第２偏光は、振動方向が反射型偏光部材２００Ｇの透過軸方向であるので、透過する。
第１液晶セル１０４において、反射型偏光部材２００Ｇを透過した第２偏光は、第１液晶セル１０４がＯＮなので、そのまま透過する。
すなわち、外光は、積層体１Ｇを透過する。
【０２６４】
（観察者側から入射した光）
第１液晶セル１０４において、第１液晶セル１０４がＯＮなので、観察者側から入射した光のうちの第２偏光が透過する。
反射型偏光部材２００Ｇにおいて、第１液晶セル１０４を透過した第２偏光は、振動方向が反射型偏光部材２００Ｇの透過軸方向なので、反射型偏光部材２００Ｇを第２偏光のまま透過する。
第２液晶セル３０４において、反射型偏光部材２００Ｇを透過した第２偏光は、第２液晶セル３０４がＯＮなので、透過する。
すなわち、観察者側から入射した光は、積層体１Ｇを透過する。
【０２６５】
（８−Ｃ）第２液晶セル３０４がＯＦＦ、第１液晶セル１０４がＯＮの場合
（外光）
第２液晶セル３０４において、第２液晶セル３０４がＯＦＦなので、外光のうちの第１偏光が透過する。
反射型偏光部材２００Ｇにおいて、第２液晶セル３０４を透過した第１偏光は、振動方向が反射型偏光部材２００Ｇの反射軸方向であるので、反射される。
第２液晶セル３０４において、反射型偏光部材２００Ｇで反射された第１偏光は、第２液晶セル３０４がＯＦＦなので、そのまま透過する。
すなわち、外光は、積層体１Ｇで反射される。
【０２６６】
（観察者側から入射した光）
第１液晶セル１０４において、第１液晶セル１０４がＯＮなので、観察者側から入射した光のうちの第２偏光が透過する。
反射型偏光部材２００Ｇにおいて、第１液晶セル１０４を透過した第２偏光は、振動方向が反射型偏光部材２００Ｇの透過軸方向であるので、透過する。
第２液晶セル３０４において、第３吸収型偏光部材３０３を透過した第２偏光は、第２液晶セル３０４がＯＦＦなので遮光される。
すなわち、観察者側から入射した光は、積層体１Ｇで遮光される。
【０２６７】
（８―Ｄ）第２液晶セル３０４がＯＮ、第１液晶セル１０４がＯＦＦの場合
（外光）
第２液晶セル３０４において、第２液晶セル３０４がＯＮなので、外光のうちの第２偏光が透過する。
反射型偏光部材２００Ｇにおいて、第２液晶セル３０４を透過した第２偏光は、振動方向が反射型偏光部材２００Ｇの透過軸方向なので、反射型偏光部材２００Ｇを第２偏光のまま透過する。
第１液晶セル１０４において、反射型偏光部材２００Ｇで反射された第２偏光は、第１液晶セル１０４がＯＦＦなので、遮光される。
すなわち、外光は、積層体１Ｇで遮光される。
【０２６８】
（観察者側から入射した光）
第１液晶セル１０４において、第１液晶セル１０４がＯＦＦなので、観察者側から入射した光のうちの第１偏光が透過する。
反射型偏光部材２００Ｇにおいて、第１液晶セル１０４を透過した第１偏光は、振動方向が反射型偏光部材２００Ｇの反射軸方向なので反射される。
第１液晶セル１０４において、反射型偏光部材２００Ｇで反射された第１偏光は、第１液晶セル１０４がＯＦＦなので、そのまま透過する。
すなわち、観察者側から入射した光は、積層体１Ｇにおいて反射されて観察者側に戻る。
【０２６９】
以上、第８実施形態においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第１液晶セル１０１，第２液晶セル３０４において、ゲストホスト型方式を採用するので、第１液晶部材１００Ｇ，第２液晶部材３００Ｇでの吸収型偏光部材が不要であり、構造を簡易にすることができる。
【０２７０】
（第９実施形態）
図１１は本発明の第９実施形態の積層体１Ｈの概略断面図である。図示するように積層体１Ｈは、第１液晶部材１００Ｈと、反射型偏光部材２００Ｈと、第２液晶部材３００Ｈとがこの順に設けられている。
【０２７１】
第９実施形態の積層体１Ｈは、第８実施形態の積層体１ＨＧと略同様であるが、第１液晶セル１０４の第１液晶層１０８と、第２液晶セル３０４の第２液晶層３０８とが、ＶＡ方式で駆動されるゲストホスト型液晶層である点が異なる。それ以外の点については第８実施形態と同様である。同様な部分については同一の符号を付して説明を省略する。
【０２７２】
第９実施形態は、反射型偏光部材２００Ｈの反射軸方向が第１方向である。第１液晶セル１０４の第１液晶層１０８と第２液晶セル３０４の第２液晶層３０８は、電圧がＯＦＦのときに第１偏光及び第２偏光を透過する。第１液晶セル１０４の第１液晶層１０８は、電圧がＯＮのときに第１偏光を遮光して第２偏光を透過する。第２液晶セル３０４の第２液晶層３０８は、電圧がＯＮのときに第１偏光を透過して第２偏光を遮光する。
【０２７３】
表１９に、第９実施形態の積層体１Ｈにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｈに入射した光の取りうる状態を示す。
【０２７４】
【表１９】
2018070500.tif 000021
【０２７５】
（９−Ａ）第２液晶セル３０４がＯＦＦ、第１液晶セル１０４がＯＦＦの場合
（外光）
第２液晶セル３０４において、第２液晶セル３０４がＯＦＦなので、第１偏光及び第２偏光が透過する。
反射型偏光部材２００Ｈにおいて、第２液晶セル３０４を透過した第１偏光は反射される。反射型偏光部材２００Ｈにおいて、第２液晶セル３０４を透過した第２偏光は透過する。
（透過光）
第１液晶セル１０４において、反射型偏光部材２００Ｈを透過した第２偏光は、第１液晶セル１０４の印加電圧がＯＦＦなので、透過する。
（反射光）
第２液晶セル３０４において、反射型偏光部材２００Ｈで反射された第１偏光は、第２液晶セル３０４の印加電圧がＯＦＦなので、そのまま透過する。
すなわち、積層体１Ｈにおいて外光のうちの第１偏光は反射され、第２偏光は透過するので、積層体１Ｈはハーフミラーとして機能する。
【０２７６】
（観察者側から入射した光）
第１液晶セル１０４において、第１液晶セル１０４がＯＦＦなので、観察者側から入射した光の第１偏光及び第２偏光が透過する。
反射型偏光部材２００Ｈにおいて、第１液晶セル１０４を透過した第１偏光は反射される。反射型偏光部材２００Ｈにおいて、第１液晶セル１０４を透過した第２偏光は透過する。
（透過光）
第２液晶セル３０４において、反射型偏光部材２００Ｈを透過した第２偏光は、第２液晶セル３０４の印加電圧がＯＦＦなので、透過する。
（反射光）
第１液晶セル１０４において、反射型偏光部材２００Ｈで反射された第１偏光は、第１液晶セル１０４の印加電圧がＯＦＦなので、そのまま透過する。
すなわち、積層体１Ｈにおいて被写体側の光のうちの第１偏光は反射され、第２偏光は透過するので、積層体１Ｈはハーフミラーとして機能する。
【０２７７】
（９−Ｂ）第２液晶セル３０４がＯＮ、第１液晶セル１０４がＯＮの場合
（外光）
第２液晶セル３０４において、第２液晶セル３０４がＯＮなので、外光のうちの第１偏光が透過する。
反射型偏光部材２００Ｈにおいて、第２液晶セル３０４を透過した第１偏光は、振動方向が反射型偏光部材２００Ｈの反射軸方向なので、反射する。
第２液晶セル３０４において、反射型偏光部材２００Ｈで反射された第１偏光は、第２液晶セル３０４がＯＮなので、そのまま透過する。
すなわち、積層体１Ｈにおいて外光は反射される。
【０２７８】
（観察者側から入射した光）
第１液晶セル１０４において、第１液晶セル１０４がＯＮなので、観察者側から入射した光のうちの第２偏光が透過する。
反射型偏光部材２００Ｈにおいて、第１液晶セル１０４を透過した第２偏光は、振動方向が反射型偏光部材２００Ｈの透過軸方向なので、反射型偏光部材２００Ｈを透過する。
第２液晶セル３０４において、反射型偏光部材２００Ｈを透過した第２偏光は、第２液晶セル３０４がＯＮなので、遮光される。
すなわち、観察者側から入射した光は、積層体１Ｈで遮光される。
【０２７９】
（９−Ｃ）第２液晶セル３０４がＯＦＦ、第１液晶セル１０４がＯＮの場合
（外光）
第２液晶セル３０４において、第２液晶セル３０４がＯＦＦなので、第１偏光及び第２偏光が透過する。
反射型偏光部材２００Ｈにおいて、第２液晶セル３０４を透過した第１偏光は反射される。反射型偏光部材２００Ｈにおいて、第２液晶セル３０４を透過した第２偏光は透過する。
（透過光）
第１液晶セル１０４において、反射型偏光部材２００Ｈを透過した第２偏光は、第１液晶セル１０４がＯＮなので、透過する。
（反射光）
第２液晶セル３０４において、反射型偏光部材２００Ｈで反射された第１偏光は、第２液晶セル３０４がＯＦＦなので、そのまま透過する。
すなわち、積層体１Ｈにおいて外光のうちの第１偏光は反射され、第２偏光は透過するので、積層体１Ｈはハーフミラーとして機能する。
【０２８０】
（観察者側から入射した光）
第１液晶セル１０４において、第１液晶セル１０４がＯＮなので、観察者側から入射した光のうちの第２偏光が透過する。
反射型偏光部材２００Ｈにおいて、第１液晶セル１０４を透過した第２偏光は、振動方向が反射型偏光部材２００Ｈの透過軸方向なので、透過する。
第２液晶セル３０４において、反射型偏光部材２００Ｈを透過した第２偏光は、第２液晶セル３０４がＯＦＦなので、透過する。
すなわち、観察者側から入射した光は、積層体１Ｈを透過する。
【０２８１】
（９―Ｄ）第２液晶セル３０４がＯＮ、第１液晶セル１０４がＯＦＦの場合
（外光）
第２液晶セル３０４において、第２液晶セル２０４がＯＮなので、観察者側から入射した光の第１偏光が透過する。
反射型偏光部材２００Ｈにおいて、第１液晶セル１０４を透過した第１偏光は、振動方向が反射型偏光部材２００Ｈの反射軸方向なので、反射される。
第２液晶セル３０４において、反射型偏光部材２００Ｈで反射された第１偏光は、第２液晶セル３０４がＯＦＦなので、そのまま透過する。
すなわち、外光は、積層体１Ｈにおいて反射する。
【０２８２】
（観察者側から入射した光）
第１液晶セル１０４において、第１液晶セル１０４がＯＦＦなので、観察者側から入射した光の第１偏光及び第２偏光が透過する。
反射型偏光部材２００Ｈにおいて、第１液晶セル１０４を透過した第１偏光は反射される。反射型偏光部材２００Ｈにおいて、第１液晶セル１０４を透過した第２偏光は透過する。
（透過光）
第２液晶セル３０４において、反射型偏光部材２００Ｈを透過した第２偏光は、第２液晶セル３０４の印加電圧がＯＮなので遮光される。
（反射光）
第１液晶セル１０４において、反射型偏光部材２００Ｈで反射された第１偏光は、第１液晶セル１０４の印加電圧がＯＦＦなので、そのまま透過する。
すなわち、積層体１Ｈにおいて被写体側の光のうちの第１偏光は反射され、第２偏光は遮光される。
【０２８３】
以上、第９実施形態においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第１液晶セル１０１，第２液晶セル３０４において、ゲストホスト型方式を採用するので、第１液晶部材１００Ｈ，第２液晶部材３００Ｈでの吸収型偏光部材が不要であり、構造を簡易にすることができる。
【０２８４】
（第１０実施形態）
図１２は本発明の第１０実施形態の積層体１Ｊの概略断面図である。図示するように積層体１Ｊは、第１液晶部材１００Ｊと、反射型偏光部材２００Ｊと、第２液晶部材３００Ｊとがこの順に設けられている。
【０２８５】
第１０実施形態の積層体１Ｊは、第９実施形態の積層体１Ｇに対して、第１液晶セル１０４の第１液晶層１０８、ＩＰＳ方式で駆動されるゲストホスト型液晶層である点が異なる。それ以外の点については第９実施形態と同様である。
【０２８６】
第１０実施形態は、反射型偏光部材２００Ｊの反射軸方向が第１方向である。
第１液晶セル１０４の第１液晶層１０８は、電圧がＯＦＦのときに第１偏光を透過して第２偏光を遮光する。第１液晶セル１０４の第１液晶層１０８は、電圧がＯＮのときに第１偏光を遮光して第２偏光を透過する。
第２液晶セル３０４の第２液晶層３０８は、電圧がＯＦＦのときに第１偏光及び第２偏光を透過する。第２液晶セル３０４の第２液晶層３０８は、電圧がＯＮのときに第１偏光を透過して第２偏光を遮光する。
【０２８７】
表２０に、第１０実施形態の積層体１Ｊにおいて、第１液晶セル１０４及び第２液晶セル３０４の透明電極１１１と１１６との間、透明電極３１１と３１６との間に印加する電圧をそれぞれＯＮ／ＯＦＦにしたとき、積層体１Ｊに入射した光の取りうる状態を示す。
【０２８８】
【表２０】
2018070500.tif 000022
【０２８９】
（１０−Ａ）第２液晶セル３０４がＯＦＦ、第１液晶セル１０４がＯＦＦの場合
（外光）
第２液晶セル３０４において、第２液晶セル３０４がＯＦＦなので、第１偏光及び第２偏光が透過する。
反射型偏光部材２００Ｊにおいて、第２液晶セル３０４を透過した第１偏光は反射される。反射型偏光部材２００Ｊにおいて、第２液晶セル３０４を透過した第２偏光は透過する。
（透過光）
第１液晶セル１０４において、反射型偏光部材２００Ｊを透過した第２偏光は、第１液晶セル１０４の印加電圧がＯＦＦなので、遮光される。
（反射光）
第２液晶セル３０４において、反射型偏光部材２００Ｊで反射された第１偏光は、第２液晶セル３０４の印加電圧がＯＦＦなので、そのまま透過する。
すなわち、積層体１Ｊにおいて外光は反射される。
【０２９０】
（観察者側から入射した光）
第１液晶セル１０４において、第１液晶セル１０４がＯＦＦなので、観察者側から入射した光の第１偏光が透過する。
反射型偏光部材２００Ｊにおいて、第１液晶セル１０４を透過した第１偏光は反射される。
第１液晶セル１０４において、反射型偏光部材２００Ｊで反射された第１偏光は、第１液晶セル１０４の印加電圧がＯＦＦなので、そのまま透過する。
すなわち、積層体１Ｊにおいて被写体側の光は反射される。
【０２９１】
（１０−Ｂ）第２液晶セル３０４がＯＮ、第１液晶セル１０４がＯＮの場合
（外光）
第２液晶セル３０４において、第２液晶セル３０４がＯＮなので、外光のうちの第１偏光が透過する。
反射型偏光部材２００Ｊにおいて、第２液晶セル３０４を透過した第１偏光は、振動方向が反射型偏光部材２００Ｊの反射軸方向なので、反射する。
第２液晶セル３０４において、反射型偏光部材２００Ｊで反射された第１偏光は、第２液晶セル３０４がＯＮなので、そのまま透過する。
すなわち、積層体１Ｊにおいて外光は反射される。
【０２９２】
（観察者側から入射した光）
第１液晶セル１０４において、第１液晶セル１０４がＯＮなので、観察者側から入射した光のうちの第２偏光が透過する。
反射型偏光部材２００Ｊにおいて、第１液晶セル１０４を透過した第２偏光は、振動方向が反射型偏光部材２００Ｊの透過軸方向なので、反射型偏光部材２００Ｊを透過する。
第２液晶セル３０４において、反射型偏光部材２００Ｊを透過した第２偏光は、第２液晶セル３０４がＯＮなので、遮光される。
すなわち、観察者側から入射した光は、積層体１Ｊで遮光される。
【０２９３】
（１０−Ｃ）第２液晶セル３０４がＯＦＦ、第１液晶セル１０４がＯＮの場合
（外光）
第２液晶セル３０４において、第２液晶セル３０４がＯＦＦなので、第１偏光及び第２偏光が透過する。
反射型偏光部材２００Ｊにおいて、第２液晶セル３０４を透過した第１偏光は反射される。反射型偏光部材２００Ｊにおいて、第２液晶セル３０４を透過した第２偏光は透過する。
（透過光）
第１液晶セル１０４において、反射型偏光部材２００Ｊを透過した第２偏光は、第１液晶セル１０４がＯＮなので、透過する。
（反射光）
第２液晶セル３０４において、反射型偏光部材２００Ｊで反射された第１偏光は、第２液晶セル３０４がＯＦＦなので、そのまま透過する。
すなわち、積層体１Ｊにおいて外光のうちの第１偏光は反射され、第２偏光は透過するので、積層体１Ｊはハーフミラーとして機能する。
【０２９４】
（観察者側から入射した光）
第１液晶セル１０４において、第１液晶セル１０４がＯＮなので、観察者側から入射した光のうちの第２偏光が透過する。
反射型偏光部材２００Ｊにおいて、第１液晶セル１０４を透過した第２偏光は、振動方向が反射型偏光部材２００Ｊの透過軸方向なので、透過する。
第２液晶セル３０４において、反射型偏光部材２００Ｊを透過した第２偏光は、第２液晶セル３０４がＯＦＦなので、透過する。
すなわち、観察者側から入射した光は、積層体１Ｊを透過する。
【０２９５】
（１０―Ｄ）第２液晶セル３０４がＯＮ、第１液晶セル１０４がＯＦＦの場合
（外光）
第２液晶セル３０４において、第２液晶セル３０４がＯＮなので、観察者側から入射した光の第１偏光が透過する。
反射型偏光部材２００Ｊにおいて、第１液晶セル１０４を透過した第１偏光は、振動方向が反射型偏光部材２００Ｊの反射軸方向なので、反射される。
第２液晶セル３０４において、反射型偏光部材２００Ｊで反射された第１偏光は、第２液晶セル３０４がＯＦＦなので、そのまま透過する。
すなわち、外光は、積層体１Ｊにおいて反射する。
【０２９６】
（観察者側から入射した光）
第１液晶セル１０４において、第１液晶セル１０４がＯＦＦなので、観察者側から入射した光の第１偏光が透過する。
反射型偏光部材２００Ｊにおいて、第１液晶セル１０４を透過した第１偏光は反射される。
第１液晶セル１０４において、反射型偏光部材２００Ｊで反射された第１偏光は、第１液晶セル１０４の印加電圧がＯＦＦなので、そのまま透過する。
すなわち、積層体１Ｊにおいて被写体側の光は反射される。
【０２９７】
以上、第１０実施形態においても、観察者側から入射する光は、第１液晶セル１０４及び第２液晶セル３０４のＯＮ／ＯＦＦの組み合わせを変更することによって、反射、透過、遮光の全ての状態を取ることができる。したがって、第１実施形態と同様の効果を有する。
さらに、第１液晶セル１０４，第２液晶セル３０４において、ゲストホスト型方式を採用するので、第１液晶部材１００Ｊ，第２液晶部材３００Ｊでの吸収型偏光部材が不要であり、構造を簡易にすることができる。
【０２９８】
なお、上述のように種々の実施形態を説明したが、透過率をよくする観点からは、液晶部材は液晶セルと偏光板を組み合わせる形式が好ましい。第１液晶部材、第２液晶部材の両方がゲストホスト方式の場合には透過軸方向であっても吸収があるため透過光・反射光どちらも暗くなってしまうからである。
【０２９９】
また、遮光性を高くする観点からは、各液晶部材の偏光時の偏光度は９７％以上が好ましい。さらに好ましくは９９％以上である
【０３００】
色味の観点からは、色変化が少ない点でゲストホスト方式を用いることが好ましい。液晶セルと偏光板を組み合わせる形式の場合、液晶で偏光方向を旋回させるが、波長により複屈折が異なるため、波長により偏光性が変わり、偏光板の透過率も変わってしまうため色づきが出てしまうからである。
同様の理由から、液晶セルと偏光板を組み合わせる形式で鏡モードでの色変化を抑えたい場合には観察者側の偏光板の透過軸と反射偏光子の反射軸方向を平行にして鏡モードとすることが好ましい。
透過モードでの色変化を抑えたい場合には偏光板の透過軸と反射偏光子の透過軸の方向を平行として透過モードとすることが好ましい。入射側の偏光板・反射偏光子・観察者側の偏光板の透過軸全てを平行とするとより好ましい。
なお、染料の選択により色味透過光に色を付けることも可能である。
【０３０１】
（第１１実施形態）
図１３は本発明の第１１実施形態の積層体１Ｋの概略断面図である。積層体１Ｋは、たとえば車両のフロントガラス（外光が入射する部位）等の車内側の上部に取り付けられるサンバイザー等として用いられるものである。図中右側から見た場合、入射光の透過又は遮光が可能で、図中左側から見た場合、光を反射する鏡面又はハーフミラーとして利用可能である。
【０３０２】
図１４は、積層体１Ｋの使用の一例として、車両のフロントガラス等の車内側の上部に取り付けられるサンバイザー等として用いた場合を示す、車両を側方から見た部分断面図である。
積層体１Ｋは、フロントウインドウに対して重なるように配置される使用位置と、フロントウインドウから退避される退避位置との間を移動させることができる。積層体１Ｋは、使用位置において、車両のサンバイザーとして用いる場合、図１３中右側が観察者側（室内側）となるように配置され、鏡面やハーフミラーとして利用する場合、積層体を裏返しにして図１３中左側が観察者側（室内側）となるように配置する。
【０３０３】
積層体１Ｋは、図中右側から第１吸収型偏光部材４０１と、第１液晶セル４００と、第２吸収型偏光部材４０２と、反射型偏光部材５００とをこの順に備える。
【０３０４】
（第１吸収型偏光部材，第２吸収型偏光部材）
第１吸収型偏光部材４０１、第２吸収型偏光部材４０２は、偏光子を含むものであれば特に限定されるものではなく、偏光子の片側又は両側に偏光板保護フィルムを有するものであってもよい。
偏光子は、例えば、ポリビニルアルコール（ＰＶＡ）のような親水性ポリマーからなるフィルムを二色性色素であるヨウ素を含有する水溶液に浸漬させて延伸することによりポリビニルアルコールとヨウ素との錯体を形成させた偏光子や、ポリ塩化ビニルのようなプラスチックフィルムを処理してポリエンを配向させたものからなる偏光子等を挙げることができる。
また、ヨウ素の代わり二色性色素として二色性染料を用いる場合は、二色性染料として、アゾ系染料、スチルベン系染料、メチン系染料、シアニン系染料、ピラゾロン系染料、トリフェニルメタン系染料、キノリン系染料、オキサジン系染料、チアジン系染料、アントラキノン系染料等が用いられる。
【０３０５】
上述の偏光板保護フィルムは、上述の偏光子を保護することができ、且つ、所望の透明性を有するものであれば特に限定されるものではない。偏光板保護フィルムの材料としては、例えば、アセチルセルロース系樹脂、シクロオレフィン系樹脂、ポリエーテルサルホン系樹脂、アモルファスポリオレフィン、変性アクリル系ポリマー、ポリスチレン、エポキシ樹脂、アクリル系樹脂、ポリカーボネート系樹脂、ポリアミド系樹脂、ポリイミド系樹脂、ポリエステル系樹脂等あるいは、アクリル系、ウレタン系、アクリルウレタン系、エポキシ系、シリコーン系等の熱硬化型、又は紫外線硬化型の樹脂等を挙げることができる。中でも、上述の樹脂材料としてアセチルセルロース系樹脂、シクロオレフィン系樹脂、又はアクリル系樹脂を用いることが好ましい。その中でも特に、アセチルセルロース系樹脂であるトリアセチルセルロース（ＴＡＣ）が好適である。
第１吸収型偏光部材４０１、第２吸収型偏光部材４０２は、アクリル系透明粘着樹脂等による接着剤層により第１液晶セル４００に配置される。なお、第１吸収型偏光部材４０１、第２吸収型偏光部材４０２には、それぞれ第１液晶セル４００側に光学補償のための位相差フィルム（図示せず）が設けられるが、位相差フィルムは、必要に応じて省略してもよい。
【０３０６】
（第１液晶セル４００）
図１５は第１液晶セル４００の断面図である。
液晶セル４００は、フィルム状の第１積層部４０５Ｄ及び第２積層部４０５Ｕにより第１液晶層４０８を挟持して構成される。
【０３０７】
（第１積層部，第２積層部）
第１積層部４０５Ｄは、基材４０６に、透明電極４１１、スペーサ４１２、配向層４１３を積層して形成される。
第２積層部４０５Ｕは、基材４１５に、透明電極４１６、配向層４１７を積層して形成される。
【０３０８】
（基材）
基材４０６、４１５は、種々の透明樹脂フィルムを適用することができるが、光学異方性が小さく、また、可視域の波長（３８０〜８００ｎｍ）における透過率が８０％以上である透明樹脂フィルムを適用することが望ましい。
透明樹脂フィルムの材料としては、例えば、トリアセチルセルロース（ＴＡＣ）等のアセチルセルロース系樹脂、ポリエチレンテレフタレート（ＰＥＴ）、ポリエチレンナフタレート（ＰＥＮ）等のポリエステル系樹脂、ポリエチレン（ＰＥ）、ポリプロピレン（ＰＰ）、ポリスチレン、ポリメチルペンテン、ＥＶＡ等のポリオレフィン系樹脂、ポリ塩化ビニル、ポリ塩化ビニリデン等のビニル系樹脂、アクリル系樹脂、ポリウレタン系樹脂、ポリサルホン（ＰＥＦ）、ポリエーテルサルホン（ＰＥＳ）、ポリカーボネート（ＰＣ）、ポリスルホン、ポリエーテル（ＰＥ）、ポリエーテルケトン（ＰＥＫ）、（メタ）アクロニトリル、シクロオレフィンポリマー（ＣＯＰ）、シクロオレフィンコポリマー等の樹脂を挙げることができる。
特に、ポリカーボネート（ＰＣ）、シクロオレフィンポリマー（ＣＯＰ）、ポリエチレンテレフタレート（ＰＥＴ）等の樹脂が好ましい。
基材４０６、４１５は、特に面内位相差が小さいという観点から、ポリカーボネートや、シクロオレフィンポリマーを用いることが好ましい。面内位相差は、１５ｎｍ以下とすることが好ましく、１０ｎｍ以下とすることがより好ましい。本発明は偏光を制御することで透過や、遮光、反射、ハーフミラー等に切替可能としているため、基材の面内位相差により偏光性に対して意図しない影響を受けてしまうと、透光状態における透過率の低下や、遮光状態における透過率の上昇等の不具合が生じる場合がある。
本実施形態において、基材４０６、４１５は、厚み１００μｍのポリカーボネートフィルムが適用されるが、種々の厚みの透明樹脂フィルムを適用することができる。
【０３０９】
（透明電極）
透明電極４１１，４１６は、上記透明樹脂フィルムと透明樹脂フィルムに積層される透明導電膜から構成されている。
透明導電膜としては、この種の透明樹脂フィルムに適用される各種の透明電極材料を適用することができ、酸化物系の全光透過率が５０％以上の透明な金属薄膜を挙げることができる。例えば、酸化錫系、酸化インジウム系、酸化亜鉛系が挙げられる。
【０３１０】
酸化錫（ＳｎＯ２）系としてはネサ（酸化錫ＳｎＯ２）、ＡＴＯ（Antimony Tin Oxide：アンチモンドープ酸化錫）、フッ素ドープ酸化錫が挙げられる。
酸化インジウム（Ｉｎ２Ｏ３）系としては、酸化インジウム、ＩＴＯ（Indium Tin Oxide：インジウム錫酸化物）、ＩＺＯ（Indium  Zinc  Oxide）が挙げられる。
酸化亜鉛（ＺｎＯ）系としては、酸化亜鉛、ＡＺＯ（アルミドープ酸化亜鉛）、ガリウムドープ酸化亜鉛が挙げられる。
本実施形態では、ＩＴＯ（Indium Tin Oxide）により透明導電膜が形成される。
【０３１１】
（スペーサ）
スペーサ４１２は、上述の第１実施形態のスペーサ１１２と同様のスペーサを適用することができる。
【０３１２】
（配向層）
配向層４１３，４１７は、光配向層により形成される。光配向層に適用可能な光配向材料は、光配向の手法を適用可能な各種の材料を広く適用することができ、例えば、光分解型、光二量化型、光異性化型等を挙げることができる。
本実施形態では、光二量化型の材料を使用する。光二量化型の材料としては、例えば、シンナメート、クマリン、ベンジリデンフタルイミジン、ベンジリデンアセトフェノン、ジフェニルアセチレン、スチルバゾール、ウラシル、キノリノン、マレインイミド、又は、シンナミリデン酢酸誘導体を有するポリマー等を挙げることができる。中でも、配向規制力が良好である点で、シンナメート、クマリンの一方又は両方を有するポリマーが好ましく用いられる。このような光二量化型の材料の具体例としては、例えば特開平９−１１８７１７号公報、特表平１０−５０６４２０号公報、特表２００３−５０５５６１号公報及びＷＯ２０１０／１５０７４８号公報に記載された化合物を挙げることができる。
なお、光配向層に代えてラビング処理により配向層を作製してもよく、微細なライン状凹凸形状を賦型処理して配向層を作製してもよい。
【０３１３】
（液晶層）
第１液晶層４０８は、この種の調光フィルム１に適用可能な各種の液晶材料を広く適用することができる。具体的に、第１液晶層４０８には、重合性官能基を有していない液晶化合物として、ネマティック液晶化合物、スメクチック液晶化合物及びコレステリック液晶化合物を適用することができる。
ネマティック液晶化合物としては、例えば、ビフェニル系化合物、ターフェニル系化合物、フェニルシクロヘキシル系化合物、ビフェニルシクロヘキシル系化合物、フェニルビシクロヘキシル系化合物、トリフルオロ系化合物、安息香酸フェニル系化合物、シクロヘキシル安息香酸フェニル系化合物、フェニル安息香酸フェニル系化合物、ビシクロヘキシルカルボン酸フェニル系化合物、アゾメチン系化合物、アゾ系化合物、およびアゾオキシ系化合物、スチルベン系化合物、トラン系化合物、エステル系化合物、ビシクロヘキシル系化合物、フェニルピリミジン系化合物、ビフェニルピリミジン系化合物、ピリミジン系化合物、およびビフェニルエチン系化合物等を挙げることができる。
【０３１４】
スメクチック液晶化合物としては、例えば、ポリアクリレート系、ポリメタクリレート系、ポリクロロアクリレート系、ポリオキシラン系、ポリシロキサン系、ポリエステル系等の強誘電性高分子液晶化合物を挙げることができる。
コレステリック液晶化合物としては、例えば、コレステリルリノレート、コレステリルオレエート、セルロース、セルロース誘導体、ポリペプチド等を挙げることができる。
【０３１５】
（駆動電源）
調光フィルム１は、透明電極４１１，４１６に、所定周期で極性が切り替わる交流電圧が印加され、この交流電圧により第１液晶層４０８に電界が形成される。また、この電界により第１液晶層４０８に設けられた液晶分子の配向が制御され、透過光が制御される。
駆動電源Ｓ１は、第１液晶セル４００の透明電極４１１，４１６間に、所定周期で極性が切り替わる交流電圧を印加する。
調光フィルム１は、この交流電圧により第１液晶層４０８に電界が形成される。また、この電界により第１液晶層４０８に設けられた液晶分子の配向が制御され、透過光が制御される。
【０３１６】
第１１実施形態の第１液晶セル４００における第１液晶層４０８の配向制御には、ＶＡ方式（Ｖｅｒｔｉｃａｌ  Ａｌｉｇｎｍｅｎｔ、垂直配向型）が適用される。ＶＡ方式は、基板上に形成した透明電極の上に垂直方向に配向規制力を有する配向膜を設け、上下基板で第１液晶層４０８を挟む構成である。
【０３１７】
しかし、ＶＡ方式に代えて、ＴＮ（Ｔｗｉｓｔｅｄ  Ｎｅｍａｔｉｃ、ねじれネマティック）方式、ＩＰＳ（Ｉｎ  Ｐｌａｎｅ  Ｓｗｉｔｃｈｉｎｇ、横電界スイッチング）方式、ＦＦＳ（Ｆｒｉｎｇｅ  Ｆｉｅｌｄ  Ｓｗｉｔｃｈｉｎｇ）方式、ＧＨ（Ｇｕｅｓｔ  Ｈｏｓｔ）方式等、種々の駆動方式を適用してよい。
ここで、ＴＮ方式は、基板上に形成した透明電極の上に、配向方向が９０°異なるようなラビング処理等を行った配向膜を付け、上下基板で液晶層４０８を挟む構成である。配向膜の配向規制力により液晶分子は配向膜の配向方向に沿って並び、その液晶分子に沿って他の液晶分子が配向するため、液晶分子の方向が９０°捩じれる形で配向する。なお、液晶分子に捩じれを付与するために液晶層４０８内にカイラル剤が添加されていてもよい。
【０３１８】
また、ＩＰＳ方式は、一方の基材に電極をまとめて作成し、この電極による電界により配向させた液晶分子を基板に対して横（水平）方向に回転させることにより透過光量を制御する方式である。
ＦＦＳ方式は、ＩＰＳ方式と同じく基板に対して液晶分子が横（水平）方向に動くが、ねじれと曲がりを伴うことにより透過光量を制御する方式である。
実施形態の第１液晶セル４００は、駆動電源Ｓ１より加えられる第１印加電圧をＯＦＦにすると、入射光を透過する。また、第１液晶セル４００は、第１印加電圧をＯＮにすると、入射光のうちの一方の偏光を遮光し、他方の偏光を方向転換して透過する。
なお、ＩＰＳ方式及びＦＦＳ方式の場合は、初期の配向方向と電圧をかけた後の配向方向を入れ替えればＯＮ及びＯＦＦが逆となるので、本実施形態のＶＡ方式と同様に駆動させることもできる。ＴＮ方式の場合は、本実施形態のＶＡ方式とはＯＮ及びＯＦＦが逆となる。
【０３１９】
更に、ＧＨ方式は、ホストであるネマティック液晶中にゲストとして二色性色素を溶解させた液晶組成物を用いる方式である。二色性色素は、１軸の光吸収軸を有し、光吸収軸方向に振動する光のみを吸収する。電場による液晶の動きに合わせて、二色性色素の配向も変化することから、光吸収軸の向きを制御することにより、液晶セルの透過状態を変化させることができる。
ＧＨ方式に使用される液晶組成物は、電界印加時における液晶分子の長軸方向の相違により、ポジ型とネガ型とに大別される。
ポジ型のネマティック液晶は、誘電率が長軸方向に大きく長軸に垂直な方向に小さい誘電率異方性が正の液晶であり、電界印加時には液晶分子の長軸方向が電場に対して平行となるものである。
一方、ネガ型のネマティック液晶は、誘電率が長軸方向に小さく長軸に垂直な方向に大きい誘電率異方性が負の液晶であり、電界印加時には液晶分子の長軸方向が電場に対して垂直となるものである。
【０３２０】
ここで、二色性色素が液晶分子と同様にシート面内の所定の方向に配列している場合、液晶層は、特定の偏光を透過し、その他の偏光を吸収する偏光板として用いることができる。
また、二色性色素が液晶分子と同様にシート面内に平行に配列されていても、液晶分子の駆動方式をＴＮ方式とした場合、液晶層は、偏光方向に関係なく入射した光を吸収することができ、シート面に垂直（液晶層の厚み方向に平行）な方向に配列させたときに、光透過性が向上する。
更に、液晶分子の駆動方式ＶＡ方式とし、液晶層内にカイラル剤を添加することにより、液晶層は、電圧印加時に液晶分子及び二色性色素がツイストするため、遮光状態となる。
【０３２１】
ＧＨ方式に用いられる二色性色素としては、液晶に対して溶解性があり、二色性の高い色素、例えば、アゾ系、アントラキノン系、キノフタロン系、ペリレン系、インジゴ系、チオインジゴ系、メロシアニン系、スチリル系、アゾメチン系、テトラジン系等の二色性色素が挙げられる。
液晶層を偏光板として機能させる場合、液晶分子及び二色性色素のオーダーパラメーター（Ｓ値）は、０．７以上であることが望ましい。
【０３２２】
（反射型偏光部材）
反射型偏光部材５００としては、上述の第１実施形態の反射型偏光部材２００と同様の反射型偏光部材を用いることができる。本実施形態ではＤＢＥＦ（登録商標，住友スリーエム社製  ＤＢＥＦ−Ｄ３−３４０）を用いる。
【０３２３】
また、反射型偏光部材５００としては、上記のＤＢＥＦ、ワイヤーグリッド以外にコレステリック液晶も考えられる。コレステリック液晶を用いる場合は、広帯域で偏光反射するコレステリック液晶であることが好ましい。赤、緑、青を偏光反射するコレステリック液晶層を３層積層してもよい。
ここで、コレステリック液晶は光の波長が螺旋ピッチと等しくなる場合に、一方の円偏光を反射し、他方の円偏光を透過する特性を持つ。そのため、本実施形態では、円偏光と直線偏光を変換するためにλ／４位相差層と積層させて用いることが好ましい。
【０３２４】
なお、以下の説明において、反射型偏光部材５００の反射軸方向を第１（縦）方向（以下の表２１において上下の向きの矢印で示す方向）、反射型偏光部材５００の透過軸方向（第１（縦）方向と直交する方向）を第２（横）方向（表２１において左右の向きの矢印で示す方向）として説明する。なお、（縦）、（横）は理解を容易にするために便宜的に付記するものである。
【０３２５】
また、第１（縦）方向に振動する偏光を第１（縦）偏光、第１方向に直交する第２（横）方向に振動する偏光を第２（横）偏光という。
また、以下、各偏光について「透過」といった場合、「透過」であっても一部の光は反射及び吸収が起こることもありうる。以下、積層体１Ｋにおける遮光と透過と反射とハーフミラーの場合について実施形態で説明するが、遮光と透過との間の中間調に制御することも可能である。また、ハーフミラーの場合において、反射率と透過率とを制御することも可能である。
【０３２６】
次に、第１１実施形態の各部材における透過軸、反射軸等について説明する。
反射型偏光部材５００は、入射光のうちの第１（縦）偏光を反射し、第２（横）偏光を透過する。
第１吸収型偏光部材４０１は、第１（縦）偏光を透過し、第２（横）偏光を遮光する。
第２吸収型偏光部材４０２は、第２（横）偏光を透過し、第１（縦）偏光を遮光する。
【０３２７】
第１液晶セル４００は、第１印加電圧をＯＦＦにすると、入射光の第１（縦）偏光及び第２（横）偏光を透過する。
第１液晶セル４００は、第１印加電圧をＯＮにすると、第１吸収型偏光部材４０１から入射する第１（縦）偏光を方向転換して第２（横）偏光にして、第２吸収型偏光部材４０２側へ出射する。
第１液晶セル４００は、第１印加電圧をＯＮにすると、第２吸収型偏光部材４０２から入射する第２（横）偏光を方向転換して第１（縦）偏光にして、第１吸収型偏光部材４０１側に出射する。
【０３２８】
表２１に、第１１実施形態の積層体１Ｋにおいて、第１液晶セル４００に加える第１印加電圧をＯＮ又はＯＦＦにしたときの、積層体１Ｋへの入射光の取りうる状態を示す。
表２１の左側は、積層体１Ｋの鏡面使用時における観察者側（反射型偏光部材側）である。表２１の右側は、積層体１Ｋの透過遮光使用時（たとえばサンバイザーとしての使用時）における観察者側（反射型偏光部材側と反対側）である。
【０３２９】
【表２１】
2018070500.tif 000023
【０３３０】
（１）第１液晶セル４００がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２吸収型偏光部材４０２を透過する。
第２吸収型偏光部材４０２を透過した第２（横）偏光は、第１液晶セル４００を透過する。
第１液晶セル４００を透過した第２（横）偏光は、第１吸収型偏光部材４０１において遮光される。
すなわち、鏡面使用時観察者側からの入射光のうちの第１（縦）偏光は積層体１Ｋにおいて反射され、第２（横）偏光は遮光される。したがって、積層体１Ｋは、第１液晶セル４００がＯＦＦの場合、鏡面使用時観察者側からの入射光に対して、鏡として機能する。
【０３３１】
（遮光透過使用時観察者側からの入射光）
遮光透過使用時観察者側からの入射光のうちの第１（縦）偏光は、第１吸収型偏光部材４０１を透過し、第２（横）偏光は遮光される。
第１吸収型偏光部材４０１を透過した第１（縦）偏光は、第１液晶セル４００を透過する。
第１液晶セル４００を透過した第１（縦）偏光は、第２吸収型偏光部材４０２で遮光される。
したがって、積層体１Ｋは、第１液晶セル４００がＯＦＦの場合、遮光透過使用時観察者側からの入射光を遮光する。
【０３３２】
（２）第１液晶セル４００がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２吸収型偏光部材４０２を透過する。
第２吸収型偏光部材４０２を透過した第２（横）偏光は、第１液晶セル４００において第１（縦）偏光に回転される。
第１液晶セル４００において回転された第１（縦）偏光は、第１吸収型偏光部材４０１を透過する。
すなわち、鏡面使用時観察者側からの入射光のうちの第１（縦）偏光は積層体１Ｋにおいて反射され、第２（横）偏光は透過する。したがって、積層体１Ｋは、第１液晶セル４００がＯＮの場合、鏡面使用時観察者側からの入射光に対して、ハーフミラーとして機能する。
【０３３３】
（遮光透過使用時観察者側からの入射光）
遮光透過使用時観察者側からの入射光のうち、第１（縦）偏光は、第１吸収型偏光部材４０１を透過し、第２（横）偏光は、遮光される。
第１吸収型偏光部材４０１を透過した第１（縦）偏光は、第１液晶セル４００において第２（横）偏光に回転される。
第１液晶セル４００を透過した第２（横）偏光は、第２吸収型偏光部材４０２を透過する。
第２吸収型偏光部材４０２を透過した第２（横）偏光は、反射型偏光部材５００を透過する。
すなわち、積層体１Ｋは、第１液晶セル４００がＯＮの場合、遮光透過使用時観察者側からの入射光のうちの第２（横）偏光を遮光し、第１（縦）偏光を透過する。
【０３３４】
以上より、第１１実施形態において、積層体１Ｋは、鏡面使用時観察者側（反射型偏光部材側）からの入射光のうちの、第１偏光を反射するとともに、液晶層４０８の電圧の印加状態に応じて、第２偏光を遮光と透過との間で切り換えるので、鏡面又はハーフミラーとして使用することができる。
また、第１１実施形態において、積層体１Ｋは、遮光透過使用時観察者側（反射型偏光部材側の反対側）からの入射光のうち第２偏光を遮光するとともに、液晶層４０８の電圧の印加状態に応じて、第１偏光を、遮光と透過との間で切り替える。これにより、積層体１Ｋは、遮光透過使用時観察者側（反射型偏光部材側の反対側）において、光を透過する透過状態と、遮光する遮光状態とを切り替えることができる。
更に、本実施形態の積層体１Ｋは、反射型偏光部材５００の一方の面が覆われていないので、鏡として用いた場合の反射率を高くすることができる。また、色変化や、視野角特性も良好にすることができるとともに、遮光時における透過率を低くすることができる。
【０３３５】
（第１２実施形態）
次に、本発明の第１２実施形態について説明する。第１２実施形態の積層体１Ｌは、第１１実施形態（図１３）と同様の層構成である。しかし、第１２実施形態の積層体１Ｌは、第１吸収型偏光部材４０１の透過軸方向が第２（横）方向である点において、第１１実施形態の積層体１Ｋと異なる。
すなわち、本実施形態の第１吸収型偏光部材４０１は、第２（横）偏光を透過し、第１（縦）偏光を遮光する。
表２２に、第１２実施形態の積層体１Ｌにおいて、第１液晶セル４００に加える第１印加電圧をＯＮ又はＯＦＦにしたときの、積層体１Ｌへの入射光の取りうる状態を示す。
表２２の左側は、積層体の鏡面使用時における観察者側である。表２２の右側は、積層体の透過遮光使用時における観察者側である。
【０３３６】
【表２２】
2018070500.tif 000024
【０３３７】
（１）第１液晶セル４００がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２吸収型偏光部材４０２を透過する。
第２吸収型偏光部材４０２を透過した第２（横）偏光は、第１液晶セル４００を透過する。
第１液晶セル４００を透過した第２（横）偏光は、第１吸収型偏光部材４０１を透過する。
すなわち、鏡面使用時観察者側からの入射光のうちの第１（縦）偏光は、積層体１Ｌにおいて反射され、第２（横）偏光は透過される。したがって、積層体１Ｌは、第１液晶セル４００がＯＦＦの場合、鏡面使用時観察者側からの入射光に対してハーフミラーとして機能する。
【０３３８】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００を透過する。
第１液晶セル４００を透過した第２（横）偏光は、第２吸収型偏光部材４０２を透過する。
第２吸収型偏光部材４０２を透過した第２（横）偏光は、反射型偏光部材５００を透過する。
すなわち、積層体１Ｌは、第１液晶セル４００がＯＦＦの場合、遮光透過使用時観察者側からの入射光のうちの第２（横）偏光を透過し、第１（縦）偏光を遮光する。
【０３３９】
（２）第１液晶セル４００がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２吸収型偏光部材４０２を透過する。
第２吸収型偏光部材４０２を透過した第２（横）偏光は、第１液晶セル４００において第１（縦）偏光に回転される。
第１液晶セル４００において回転された第１（縦）偏光は、第１吸収型偏光部材４０１で遮光される。
すなわち、鏡面使用時観察者側からの入射光のうちの第１（縦）偏光は積層体１Ｌにおいて反射され、第２（横）偏光は遮光される。したがって、積層体１Ｌは、第１液晶セル４００がＯＮの場合、鏡面使用時観察者側からの入射光に対して、鏡として機能する。
【０３４０】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００において第１（縦）偏光に回転される。
第１液晶セル４００において回転された第１（縦）偏光は、第２吸収型偏光部材４０２で遮光される。
すなわち、積層体１Ｌは、第１液晶セル４００がＯＮの場合、遮光透過使用時観察者側からの入射光は、積層体１Ｌで遮光される。
【０３４１】
以上より、第１２実施形態において、積層体１Ｌは、鏡面使用時観察者側（反射型偏光部材側）からの入射光のうちの、第１偏光を反射するとともに、液晶層４０８の電圧の印加状態に応じて、第２偏光を遮光と透過との間で切り換えるので、鏡面又はハーフミラーとして使用することができる。
また、第１２実施形態において、積層体１Ｌは、遮光透過使用時観察者側（反射型偏光部材側の反対側）からの入射光のうち第１偏光を遮光するとともに、液晶層４０８の電圧の印加状態に応じて、第２偏光を、遮光と透過との間で切り替える。これにより、積層体１Ｌは、遮光透過使用時観察者側（反対側）において、光を透過する透過状態と、遮光する遮光状態とを切り替えることができる。
更に、本実施形態の積層体１Ｌは、反射型偏光部材５００の一方の面が覆われていないので、鏡として用いた場合の反射率を高くすることができる。
また、本実施形態の積層体１Ｌは、透過状態において、液晶セルの液晶分子が垂直配向であり、各偏光部材の透過軸がパラレルニコル配置であるため液晶による複屈折の影響を受けることなく光が透過する。そのため、液晶材料が持っている波長分散の影響が少ない状態で光が積層体１Ｌから出射するため、透過光の色味をより良好にすることができる。
【０３４２】
（第１３実施形態）
次に、本発明の第１３実施形態について説明する。
図１６は本発明の第１３実施形態の積層体１Ｍの概略断面図である。
第１３実施形態の積層体１Ｍは、第１液晶セル４００の第１液晶層４０８が液晶分子及び二色性色素を含んだゲストホスト型液晶であり、ＩＰＳ方式で駆動される（ＧＨＩＰＳである）点と、第２吸収型偏光部材４０２を有さない点と、第１吸収型偏光部材４０１の透過軸方向が第２（横）方向である点とにおいて、第１１実施形態の積層体１Ｋと異なる。
ＩＰＳ方式は、配向させた液晶分子を基板に対して横（水平）方向に回転させることにより透過光量を制御する方式である。
本実施形態の第１吸収型偏光部材４０１は、第２（横）偏光を透過し、第１（縦）偏光を遮光する。
本実施形態の第１液晶セル４００は、駆動電源Ｓ１より加えられる第１印加電圧をＯＦＦにすると、第２（横）偏光を透過し、第１（縦）偏光を遮光する。
また、第１液晶セル４００は、第１印加電圧をＯＮにすると、第１（縦）偏光を透過し、第２（横）偏光を遮光する。
【０３４３】
表２３に、第１３実施形態の積層体１Ｍにおいて、第１液晶セル４００に加える第１印加電圧をＯＮ又はＯＦＦにしたときの、積層体１Ｍへの入射光の取りうる状態を示す。
表２３の左側は、積層体の鏡面使用時における観察者側である。表２３の右側は、積層体の透過遮光使用時における観察者側である。
【０３４４】
【表２３】
2018070500.tif 000025
【０３４５】
（１）第１液晶セル４００がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第１液晶セル４００を透過する。
第１液晶セル４００を透過した第２（横）偏光は、第１吸収型偏光部材４０１を透過する。
すなわち、鏡面使用時観察者側からの入射光のうちの第１（縦）偏光は、積層体１Ｍにおいて反射され、第２（横）偏光は透過される。したがって、積層体１Ｍは、第１液晶セル４００がＯＦＦの場合、鏡面使用時観察者側からの入射光に対してハーフミラーとして機能する。
【０３４６】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００を透過する。
第１液晶セル４００を透過した第２（横）偏光は、反射型偏光部材５００を透過する。
すなわち、積層体１Ｍは、第１液晶セル４００がＯＦＦの場合、遮光透過使用時観察者側からの入射光のうちの第１（縦）偏光を遮光し、第２（横）偏光を透過する。
【０３４７】
（２）第１液晶セル４００がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第１液晶セル４００で遮光される。
すなわち、鏡面使用時観察者側からの入射光のうちの第１（縦）偏光は、積層体１Ｍにおいて反射され、第２（横）偏光は遮光される。したがって、積層体１Ｍは、第１液晶セル４００がＯＮの場合、鏡面使用時観察者側からの入射光に対して、鏡として機能する。
【０３４８】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００で遮光される。
すなわち、積層体１Ｍは、第１液晶セル４００がＯＮの場合、遮光透過使用時観察者側からの入射光を遮光する。
【０３４９】
以上、第１３実施形態においても、積層体１Ｍは、鏡面使用時観察者側（反射型偏光部材側）からの入射光のうちの、第１偏光を反射するとともに、液晶層４０８の電圧の印加状態に応じて、第２偏光を遮光と透過との間で切り換えるので、鏡面又はハーフミラーとして使用することができる。
また、第１３実施形態において、積層体１Ｍは、遮光透過使用時観察者側（反射型偏光部材側の反対側）からの入射光のうち第１偏光を遮光するとともに、液晶層４０８の電圧の印加状態に応じて、第２偏光を、遮光と透過との間で切り替える。これにより、積層体１Ｍは、遮光透過使用時観察者側（反射型偏光部材側の反対側）において、光を透過する透過状態と、遮光する遮光状態とを切り替えることができる。
更に、本実施形態の積層体１Ｍは、反射型偏光部材５００の一方の面が覆われていないので、鏡として用いた場合の反射率を高くすることができる。
【０３５０】
また、本実施形態の場合、積層体１Ｍの液晶層に印加する電圧をＯＮ時の中間値とした場合に、遮光透過使用時観察者側から入射した光の一部を反射させることができる。
これは、電圧を中間値に設定した場合、第１液晶セル４００の透過軸は４５°の方向を向くため、遮光透過使用時観察者側から光が入射した場合に、第１吸収型偏光部材４０１で第２（横）偏光が透過し、透過した偏光のうち第１液晶セル４００で４５°の偏光が透過して、−４５°の偏光が遮光され、反射型偏光部材５００で４５°の偏光のうち、第１（縦）偏光が反射して、第２（横）偏光が透過する。そして、反射型偏光部材５００で反射した第１（縦）偏光のうち４５°方向の偏光成分が第１液晶セル４００で透過して、第１吸収型偏光部材４０１において４５°方向の偏光成分のうち第２（横）偏光成分が透過して観察者側に戻るからである。
【０３５１】
（第１４実施形態）
次に、本発明の第１４実施形態について説明する。
第１４実施形態の積層体１Ｎは、第１１実施形態の図１３と同様の層構成である。しかし、第１４実施形態の積層体１Ｎは、第１液晶セル４００の第１液晶層４０８が液晶分子及び二色性色素を含んだゲストホスト型液晶であり、ＩＰＳ方式で駆動される（ＧＨＩＰＳである）点と、第１吸収型偏光部材４０１の透過軸方向が第２（横）方向である点とにおいて、第１１実施形態の積層体１Ｋと異なる。
すなわち、本実施形態の第１吸収型偏光部材４０１は、第２（横）偏光を透過し、第１（縦）偏光を遮光する。
本実施形態の第１液晶セル４００は、駆動電源Ｓ１より加えられる第１印加電圧をＯＦＦにすると、第２（横）偏光を透過し、第１（縦）偏光を遮光する。
また、第１液晶セル４００は、第１印加電圧をＯＮにすると、第１（縦）偏光を透過し、第２（横）偏光を遮光する。
【０３５２】
表２４に、第１４実施形態の積層体１Ｎにおいて、第１液晶セル４００に加える第１印加電圧をＯＮ又はＯＦＦにしたときの、積層体１Ｎへの入射光の取りうる状態を示す。
表２４の左側は、積層体の鏡面使用時における観察者側である。表２４の右側は、積層体の透過遮光使用時における観察者側である。
【０３５３】
【表２４】
2018070500.tif 000026
【０３５４】
（１）第１液晶セル４００がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２吸収型偏光部材４０２を透過する。
第２吸収型偏光部材４０２を透過した第２（横）偏光は、第１液晶セル４００を透過する。
第１液晶セル４００を透過した第２（横）偏光は、第１吸収型偏光部材４０１を透過する。
すなわち、鏡面使用時観察者側からの入射光のうちの第１（縦）偏光は、積層体１Ｎにおいて反射され、第２（横）偏光は透過される。したがって、積層体１Ｎは、第１液晶セル４００がＯＦＦの場合、鏡面使用時観察者側からの入射光に対してハーフミラーとして機能する。
【０３５５】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００を透過する。
第１液晶セル４００を透過した第２（横）偏光は、第２吸収型偏光部材４０２を透過する。
第２吸収型偏光部材４０２を透過した第２（横）偏光は、反射型偏光部材５００を透過する。
すなわち、積層体１Ｎは、第１液晶セル４００がＯＦＦの場合、遮光透過使用時観察者側からの入射光のうちの第１（縦）偏光を遮光し、第２（横）偏光を透過する。
【０３５６】
（２）第１液晶セル４００がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２吸収型偏光部材４０２を透過する。
第２吸収型偏光部材４０２を透過した第２（横）偏光は、第１液晶セル４００で遮光される。
すなわち、鏡面使用時観察者側からの入射光のうちの第１（縦）偏光は積層体１Ｎにおいて反射され、第２（横）偏光は遮光される。したがって、積層体１Ｎは、第１液晶セル４００がＯＮの場合、鏡面使用時観察者側からの入射光に対して、鏡として機能する。
【０３５７】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００で遮光される。
すなわち、積層体１Ｎは、第１液晶セル４００がＯＮの場合、遮光透過使用時観察者側からの入射光を遮光する。
【０３５８】
以上、第１４実施形態においても、積層体１Ｎは、鏡面使用時観察者側（反射型偏光部材側）からの入射光のうちの、第１偏光を反射するとともに、液晶層４０８の電圧の印加状態に応じて、第２偏光を遮光と透過との間で切り換えるので、鏡面又はハーフミラーとして使用することができる。
また、第１４実施形態において、積層体１Ｎは、遮光透過使用時観察者側（反射型偏光部材側の反対側）からの入射光のうち第１偏光を遮光するとともに、液晶層４０８の電圧の印加状態に応じて、第２偏光を、遮光と透過との間で切り替える。これにより、積層体１Ｎは、遮光透過使用時観察者側（反対側）において、光を透過する透過状態と、遮光する遮光状態とを切り替えることができる。
更に、本実施形態の積層体１Ｎは、反射型偏光部材５００の一方の面が覆われていないので、鏡として用いた場合の反射率を高くすることができる。
【０３５９】
（第１５実施形態）
次に、本発明の第１５実施形態について説明する。
図１７は本発明の第１５実施形態の積層体１Ｐの概略断面図である。
第１５実施形態の積層体１Ｐは、第１液晶セル４００の第１液晶層４０８が液晶分子及び二色性色素を含み、ＩＰＳ方式で駆動される（ＧＨＩＰＳである）点と、第１吸収型偏光部材４０１が省略されている点とにおいて、第１１実施形態の積層体１Ｋと異なる。
本実施形態の第１液晶セル４００は、駆動電源Ｓ１より加えられる第１印加電圧をＯＦＦにすると、第２（横）偏光を透過し、第１（縦）偏光を遮光する。
また、第１液晶セル４００は、第１印加電圧をＯＮにすると、第１（縦）偏光を透過し、第２（横）偏光を遮光する。
【０３６０】
表２５に、第１５実施形態の積層体１Ｐにおいて、第１液晶セル４００に加える第１印加電圧をＯＮ又はＯＦＦにしたときの、積層体１Ｐへの入射光の取りうる状態を示す。
表２５の左側は、積層体の鏡面使用時における観察者側である。表２５の右側は、積層体の透過遮光使用時における観察者側である。
【０３６１】
【表２５】
2018070500.tif 000027
【０３６２】
（１）第１液晶セル４００がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２吸収型偏光部材４０２を透過する。
第２吸収型偏光部材４０２を透過した第２（横）偏光は、第１液晶セル４００を透過する。
すなわち、鏡面使用時観察者側からの入射光のうちの第１（縦）偏光は、積層体１Ｐにおいて反射され、第２（横）偏光は透過される。したがって、積層体１Ｐは、第１液晶セル４００がＯＦＦの場合、鏡面使用時観察者側からの入射光に対してハーフミラーとして機能する。
【０３６３】
（遮光透過使用時観察者側からの入射光）
遮光透過使用時観察者側からの入射光のうち、第２（横）偏光は、第１液晶セル４００を透過し、第１（縦）偏光は遮光される。
第１液晶セル４００を透過した第２（横）偏光は、第２吸収型偏光部材４０２を透過する。
第２吸収型偏光部材４０２を透過した第２（横）偏光は、反射型偏光部材５００を透過する。
すなわち、積層体１Ｐは、第１液晶セル４００がＯＦＦの場合、遮光透過使用時観察者側からの入射光のうちの第２（横）偏光を透過し、第１（縦）偏光を遮光する。
【０３６４】
（２）第１液晶セル４００がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２吸収型偏光部材４０２を透過する。
第２吸収型偏光部材４０２を透過した第２（横）偏光は、第１液晶セル４００で遮光される。
すなわち、鏡面使用時観察者側からの入射光のうちの第１（縦）偏光は積層体１Ｐにおいて反射され、第２（横）偏光は遮光される。したがって、積層体１Ｐは、第１液晶セル４００がＯＮの場合、鏡面使用時観察者側からの入射光に対して、鏡として機能する。
【０３６５】
（遮光透過使用時観察者側からの入射光）
遮光透過使用時観察者側からの入射光のうち、第１（縦）偏光は第１液晶セル４００を透過し、第２（横）偏光は遮光される。
第１液晶セル４００を透過した第１（縦）偏光は、第２吸収型偏光部材４０２で遮光される。
すなわち、積層体１Ｐは、第１液晶セル４００がＯＮの場合、遮光透過使用時観察者側からの入射光を遮光する。
【０３６６】
以上、第１５実施形態においても、積層体１Ｐは、鏡面使用時観察者側（反射型偏光部材側）からの入射光のうちの、第１偏光を反射するとともに、液晶層４０８の電圧の印加状態に応じて、第２偏光を遮光と透過との間で切り換えるので、鏡面又はハーフミラーとして使用することができる。
また、第１５実施形態において、積層体１Ｐは、液晶層４０８の電圧の印加状態に応じて、遮光透過使用時観察者側（反射型偏光部材側の反対側）からの入射光のうち第１偏光を遮光するとともに、第２偏光を、遮光と透過との間で切り替える。これにより、積層体１Ｐは、遮光透過使用時観察者側（反射型偏光部材側の反対側）において、光を透過する透過状態と、遮光する遮光状態とを切り替えることができる。
更に、本実施形態の積層体１Ｐは、反射型偏光部材５００の一方の面が覆われていないので、鏡として用いた場合の反射率を高くすることができる。
【０３６７】
（第１６実施形態）
次に、本発明の第１６実施形態について説明する。
第１６実施形態の積層体１Ｑは、第１３実施形態の図１６と同様の層構成である。しかし、第１６実施形態の積層体１Ｑは、第１液晶セル４００の第１液晶層４０８が液晶分子及び二色性色素を含み、ＴＮ方式で駆動される（ＧＨＴＮである）点と、第２吸収型偏光部材４０２が省略されている点と、第１吸収型偏光部材４０１の透過軸方向が第２（横）方向である点とにおいて、第１１実施形態の積層体１Ｋと異なる。
【０３６８】
ＴＮ方式は、電界の印加により、液晶分子の配向を垂直方向と水平ねじれ方向とで変化させ、光の旋光性を利用して透過光量を制御する方式である。
本実施形態の第１液晶セル４００は、駆動電源Ｓ１より加えられる第１印加電圧をＯＦＦにすると、入射光の各偏光を遮光する。
第１液晶セル４００は、第１印加電圧をＯＮにすると、第１（縦）偏光及び第２（横）偏光を透過する。
本実施形態の第１吸収型偏光部材４０１は、第２（横）偏光を透過し、第１（縦）偏光を遮光する。
【０３６９】
表２６に、第１６実施形態の積層体１Ｑにおいて、第１液晶セル４００に加える第１印加電圧をＯＮ又はＯＦＦにしたときの、積層体１Ｑへの入射光の取りうる状態を示す。
表２６の左側は、積層体の鏡面使用時における観察者側である。表２６の右側は、積層体の透過遮光使用時における観察者側である。
【０３７０】
【表２６】
2018070500.tif 000028
【０３７１】
（１）第１液晶セル４００がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第１液晶セル４００において遮光される。
すなわち、鏡面使用時観察者側からの入射光のうちの第１（縦）偏光は積層体１Ｑにおいて反射され、第２（横）偏光は遮光される。したがって、積層体１Ｑは、第１液晶セル４００がＯＦＦの場合、鏡面使用時観察者側からの入射光に対して、鏡として機能する。
【０３７２】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００で遮光される。
すなわち、積層体１Ｑは、第１液晶セル４００がＯＦＦの場合、遮光透過使用時観察者側からの入射光を遮光する。
【０３７３】
（２）第１液晶セル４００がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第１液晶セル４００を透過する。
第１液晶セル４００を透過した第２（横）偏光は、第１吸収型偏光部材４０１を透過する。
すなわち、鏡面使用時観察者側からの入射光のうちの第１（縦）偏光は、積層体１Ｑにおいて反射され、第２（横）偏光は透過される。したがって、積層体１Ｑは、第１液晶セル４００がＯＮの場合、鏡面使用時観察者側からの入射光に対して、ハーフミラーとして機能する。
【０３７４】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００を透過する。
第１液晶セル４００を透過した第２（横）偏光は、反射型偏光部材５００を透過する。
すなわち、積層体１Ｑは、第１液晶セル４００がＯＮの場合、遮光透過使用時観察者側からの入射光のうちの第１（縦）偏光を遮光し、第２（横）偏光を透過する。
【０３７５】
以上、第１６実施形態においても、積層体１Ｑは、鏡面使用時観察者側（反射型偏光部材側）からの入射光のうちの、第１偏光を反射するとともに、液晶層４０８の電圧の印加状態に応じて、第２偏光を遮光と透過との間で切り換えるので、鏡面又はハーフミラーとして使用することができる。
また、第１６実施形態において、積層体１Ｑは、遮光透過使用時観察者側（反射型偏光部材側の反対側）からの入射光のうち第１偏光を遮光するとともに、液晶層４０８の電圧の印加状態に応じて、第２偏光を、遮光と透過との間で切り替える。これにより、積層体１Ｑは、遮光透過使用時観察者側（反対側）において、光を透過する透過状態と、遮光する遮光状態とを切り替えることができる。
更に、本実施形態の積層体１Ｑは、反射型偏光部材５００の一方の面が覆われていないので、鏡として用いた場合の反射率を高くすることができる。
【０３７６】
なお、本実施形態では、第１吸収型偏光部材４０１を配置したが、第１吸収型偏光部材４０１の代わりに第１液晶セル４００と反射型偏光部材５００との間に第２吸収型偏光部材４０２を配置してもよい。また、液晶セル４００の両側に第１吸収型偏光部材４０１と第２吸収型偏光部材４０２とを、透過軸の方向が平行になるようにして配置してもよい。
また、本実施形態では、第１液晶セル４００は、第１液晶層４０８が液晶分子及び二色性色素を含み、ＴＮ方式で駆動される（ＧＨＴＮである）例を示したが、これに限定されるものでなく、例えば、第１液晶層４０８が液晶分子、二色性色素及びカイラル剤を含み、ＶＡ方式で駆動されるようにしてもよい。なお、この場合、液晶セルは、上述のＧＨＴＮ方式の場合とＯＮ及びＯＦＦが逆、すなわち、印加電圧をＯＦＦにすると、入射光の第１（縦）偏光及び第２（横）偏光を透過し、印加電圧をＯＮにすると、入射光の各偏光を遮光する。
【０３７７】
（第１７実施形態）
次に、本発明の第１７実施形態について説明する。
第１７実施形態の積層体１Ｒは、第１３実施形態の図１６と同様の層構成である。しかし、第１７実施形態の積層体１Ｒは、第１液晶セル４００の第１液晶層４０８が液晶分子及び二色性色素を含み、ＶＡ方式により駆動される（ＧＨＶＡである）点と、第２吸収型偏光部材４０２が省略されている点と、第１吸収型偏光部材４０１の透過軸方向が第２（横）方向である点とにおいて、第１１実施形態の積層体１Ｋと異なる。
【０３７８】
本実施形態の第１液晶セル４００は、駆動電源Ｓ１より加えられる第１印加電圧をＯＦＦにすると、入射光を透過する。また、第１液晶セル４００は、第１印加電圧をＯＮにすると、第１（縦）偏光を透過し、第２（横）偏光を遮光する。
本実施形態の第１吸収型偏光部材４０１は、第２（横）偏光を透過し、第１（縦）偏光を遮光する。
【０３７９】
表２７に、第１７実施形態の積層体１Ｒにおいて、第１液晶セル４００に加える第１印加電圧をＯＮ又はＯＦＦにしたときの、積層体１Ｒへの入射光の取りうる状態を示す。
表２７の左側は、積層体の鏡面使用時における観察者側である。表２７の右側は、積層体の透過遮光使用時における観察者側である。
【０３８０】
【表２７】
2018070500.tif 000029
【０３８１】
（１）第１液晶セル４００がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第１液晶セル４００を透過する。
第１液晶セル４００を透過した第２（横）偏光は、第１吸収型偏光部材４０１を透過する。
すなわち、鏡面使用時観察者側からの入射光のうちの第１（縦）偏光は、積層体１Ｒにおいて反射され、第２（横）偏光は透過される。したがって、積層体１Ｒは、第１液晶セル４００がＯＦＦの場合、鏡面使用時観察者側からの入射光に対して、ハーフミラーとして機能する。
【０３８２】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００を透過する。
第１液晶セル４００を透過した第２（横）偏光は、反射型偏光部材５００を透過する。
すなわち、積層体１Ｒは、第１液晶セル４００がＯＦＦの場合、遮光透過使用時観察者側からの入射光のうちの第１（縦）偏光を遮光し、第２（横）偏光を透過する。
【０３８３】
（２）第１液晶セル４００がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第１液晶セル４００で遮光される。
すなわち、鏡面使用時観察者側からの入射光のうちの第１（縦）偏光は積層体１Ｒにおいて反射され、第２（横）偏光は遮光される。したがって、積層体１Ｒは、第１液晶セル４００がＯＮの場合、鏡面使用時観察者側からの入射光に対して、鏡として機能する。
【０３８４】
（遮光透過使用時観察者側からの入射光）
遮光透過使用時観察者側からの入射光のうち、第２（横）偏光は、第１吸収型偏光部材４０１を透過し、第１（縦）偏光は遮光される。
第１吸収型偏光部材４０１を透過した第２（横）偏光は、第１液晶セル４００で遮光される。
すなわち、積層体１Ｒは、第１液晶セル４００がＯＮの場合、遮光透過使用時観察者側からの入射光を遮光する。
【０３８５】
以上、第１７実施形態においても、積層体１Ｒは、鏡面使用時観察者側（反射型偏光部材側）からの入射光のうちの、第１偏光を反射するとともに、液晶層４０８の電圧の印加状態に応じて、第２偏光を遮光と透過との間で切り換えるので、鏡面又はハーフミラーとして使用することができる。
また、第１７実施形態において、積層体１Ｒは、遮光透過使用時観察者側（反射型偏光部材側の反対側）からの入射光のうち第１偏光を遮光するとともに、液晶層４０８の電圧の印加状態に応じて、第２偏光を、遮光と透過との間で切り替える。これにより、積層体１Ｒは、遮光透過使用時観察者側（反対側）において、光を透過する透過状態と、遮光する遮光状態とを切り替えることができる。
更に、本実施形態の積層体１Ｒは、反射型偏光部材５００の一方の面が覆われていないので、鏡として用いた場合の反射率を高くすることができる。
【０３８６】
なお、本実施形態では、第１吸収型偏光部材４０１を配置したが、第１吸収型偏光部材４０１の代わりに第１液晶セル４００と反射型偏光部材５００との間に第２吸収型偏光部材４０２を配置してもよい。また、液晶セル４００の両側に第１吸収型偏光部材４０１と第２吸収型偏光部材４０２とを、透過軸の方向が平行になるようにして配置してもよい。
【０３８７】
（第１８実施形態）
次に、本発明の第１８実施形態について説明する。
図１８は本発明の第１８実施形態の積層体１Ｓの概略断面図である。
第１８実施形態の積層体１Ｓは、第１液晶セル４００の第１液晶層４０８が液晶分子及び二色性色素を含み、ＩＰＳ方式で駆動される（ＧＨＩＰＳである）点と、第１液晶セル４００の他に、第１液晶セル４００と同様の構成の第２液晶セル４２０が第１液晶セル４００と反射型偏光部材５００との間に設けられている点と、第１吸収型偏光部材４０１及び第２吸収型偏光部材４０２が省略されている点とにおいて、第１１実施形態の積層体１Ｋと異なる。
【０３８８】
本実施形態の第１液晶セル４００は、駆動電源Ｓ１より加えられる第１印加電圧をＯＦＦにすると、第２（横）偏光を透過し、第１（縦）偏光を遮光する。
また、第１液晶セル４００は、第１印加電圧をＯＮにすると、第１（縦）偏光を透過し、第２（横）偏光を遮光する。
本実施形態の第２液晶セル４２０は、駆動電源より加えられる第２印加電圧をＯＦＦにすると、第２（横）偏光を透過し、第１（縦）偏光を遮光する。
また、第２液晶セル４２０は、第２印加電圧をＯＮにすると、第１（縦）偏光を透過し、第２（横）偏光を遮光する。
【０３８９】
表２８に、第１８実施形態の積層体１Ｓにおいて、第１液晶セル４００に加える第１印加電圧をＯＮ又はＯＦＦにしたときの、積層体１Ｓへの入射光の取りうる状態を示す。
表２８の左側は、積層体の鏡面使用時における観察者側である。表２８の右側は、積層体の透過遮光使用時における観察者側である。
【０３９０】
【表２８】
2018070500.tif 000030
【０３９１】
（１）第１液晶セル４００及び第２液晶セル４２０がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２液晶セル４２０を透過する。
第２液晶セル４２０を透過した第２（横）偏光は、第１液晶セル４００を透過する。
すなわち、鏡面使用時観察者側からの入射光のうちの第１（縦）偏光は、積層体１Ｓにおいて反射され、第２（横）偏光は透過される。したがって、積層体１Ｓは、第１液晶セル４００及び第２液晶セル４２０がＯＦＦの場合、鏡面使用時観察者側からの入射光に対してハーフミラーとして機能する。
【０３９２】
（遮光透過使用時観察者側からの入射光）
遮光透過使用時観察者側からの入射光のうち、第２（横）偏光は、第１液晶セル４００を透過し、第１（縦）偏光は遮光される。
第１液晶セル４００を透過した第２（横）偏光は、第２液晶セル４２０を透過する。
第２液晶セル４２０を透過した第２（横）偏光は、反射型偏光部材５００を透過する。
すなわち、積層体１Ｓは、第１液晶セル４００及び第２液晶セル４２０がＯＦＦの場合、遮光透過使用時観察者側からの入射光のうちの第１（縦）偏光を遮光し、第２（横）偏光を透過する。
【０３９３】
（２）第１液晶セル４００がＯＮ、第２液晶セル４２０がＯＦＦの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２液晶セル４２０を透過する。
第２液晶セル４２０を透過した第２（横）偏光は、第１液晶セル４００で遮光される。
すなわち、鏡面使用時観察者側からの入射光のうちの第１（縦）偏光は積層体１Ｓにおいて反射され、第２（横）偏光は遮光される。したがって、積層体１Ｓは、第１液晶セル４００がＯＮ、第２液晶セル４２０がＯＦＦの場合、鏡面使用時観察者側からの入射光に対して、鏡として機能する。
【０３９４】
（遮光透過使用時観察者側からの入射光）
遮光透過使用時観察者側からの入射光のうち、第１（縦）偏光は、第１液晶セル４００を透過し、第２（横）偏光は遮光される。
第１液晶セル４００を透過した第１（縦）偏光は、第２液晶セル４２０で遮光される。
すなわち、積層体１Ｓは、第１液晶セル４００がＯＮ、第２液晶セル４２０がＯＦＦの場合、遮光透過使用時観察者側からの入射光を遮光する。
【０３９５】
（３）第１液晶セル４００がＯＦＦ、第２液晶セル４２０がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２液晶セル４２０で遮光される。
すなわち、鏡面使用時観察者側からの入射光のうちの第１（縦）偏光は積層体１Ｓにおいて反射され、第２（横）偏光は遮光される。したがって、積層体１Ｓは、第１液晶セル４００がＯＦＦ、第２液晶セル４２０がＯＮの場合、鏡面使用時観察者側からの入射光に対して、鏡として機能する。
【０３９６】
（遮光透過使用時観察者側からの入射光）
遮光透過使用時観察者側からの入射光のうち、第２（横）偏光は、第１液晶セル４００を透過し、第１（縦）偏光は遮光される。
第１液晶セル４００を透過した第２（横）偏光は、第２液晶セル４２０で遮光される。
すなわち、積層体１Ｓは、第１液晶セル４００がＯＦＦ、第２液晶セル４２０がＯＮの場合、遮光透過使用時観察者側からの入射光を遮光する。
【０３９７】
（４）第１液晶セル４００がＯＮ、第２液晶セル４２０がＯＮの場合
（鏡面使用時観察者側からの入射光）
鏡面使用時観察者側からの入射光のうちの、第１（縦）偏光は、反射型偏光部材５００によって反射される。鏡面使用時観察者側からの入射光のうちの、第２（横）偏光は、反射型偏光部材５００を透過する。
反射型偏光部材５００を透過した第２（横）偏光は、第２液晶セル４２０で遮光される。
すなわち、鏡面使用時観察者側からの入射光のうちの第１（縦）偏光は積層体１Ｓにおいて反射され、第２（横）偏光は遮光される。したがって、積層体１Ｓは、第１液晶セル４００がＯＮ、第２液晶セル４２０がＯＮの場合、鏡面使用時観察者側からの入射光に対して、鏡として機能する。
【０３９８】
（遮光透過使用時観察者側からの入射光）
遮光透過使用時観察者側からの入射光のうち、第１（縦）偏光は、第１液晶セル４００を透過し、第２（横）偏光は遮光される。
第１液晶セル４００を透過した第１（縦）偏光は、第２液晶セル４２０を透過する。
第２液晶セル４２０を透過した第１（縦）偏光は、反射型偏光部材５００で反射される。
反射型偏光部材５００で反射された第１（縦）偏光は、第２液晶セル４２０及び第１液晶セル４００を透過して、積層体１Ｓの遮光透過使用時観察者側から出射する。
すなわち、積層体１Ｓは、第１液晶セル４００がＯＮ、第２液晶セル４２０がＯＮの場合、遮光透過使用時観察者側からの入射光を反射する。
【０３９９】
以上、第１８実施形態においても、積層体１Ｓは、鏡面使用時観察者側（反射型偏光部材側）からの入射光のうちの、第１偏光を反射するとともに、第１液晶セル４００及び第２液晶セル４２０の電圧の印加状態に応じて、第２偏光を遮光と透過との間で切り換えるので、鏡面又はハーフミラーとして使用することができる。
また、第１８実施形態において、積層体１Ｓは、第１液晶セル４００及び第２液晶セル４２０の電圧の印加状態に応じて、遮光透過使用時観察者側（反射型偏光部材側の反対側）からの入射光のうち第２偏光を透過させるとともに、第１偏光を、遮光と反射との間で切り替える。これにより、積層体１Ｓは、遮光透過使用時観察者側（反対側）において、光を透過する透過状態と、遮光する遮光状態と、反射状態とを切り替えることができる。
更に、本実施形態の積層体１Ｓは、反射型偏光部材５００の一方の面が覆われていないので、鏡として用いた場合の反射率を高くすることができる。
【０４００】
なお、上述のように種々の実施形態を説明したが、透過状態の透過率をよくする観点からは、第１１実施形態及び第１２実施形態の積層体のように、二色性色素を有さない液晶セルと吸収型偏光板を組み合わせる形式が好ましい。
色味の観点からは、色変化が少ない点で、第１３実施形態〜第１８実施形態の積層体のように、ゲストホスト方式の液晶セルを用いることが好ましい。二色性色素を有さない液晶セルと吸収型偏光板を組み合わせる形式の場合、液晶で偏光方向を旋回させるが、波長により複屈折が異なるため、波長により偏光性が変わり、吸収型偏光板の透過率も変わってしまうため色づきが出てしまうからである。
透過状態における色変化を抑えたい場合、第１２実施形態〜第１７実施形態の積層体のように、吸収型偏光板の透過軸の方向と反射型偏光部材の透過軸の方向とを平行とすることが好ましい。
なお、染料の選択により色味透過光に色を付けることも可能である。
【０４０１】
〔他の実施形態〕
以上、本発明の実施に好適な具体的な構成を詳述したが、本発明は、本発明の趣旨を逸脱しない範囲で、上述の実施形態の構成を種々に変更することができる。
【０４０２】
上述の第１１から第１８までの各実施形態において、縦方向に振動する偏光を第１偏光とし、横方向に振動する偏光を第２偏光とする例で説明したが、これに限定されるのでなく、横方向に振動する偏光を第１偏光とし、縦方向に振動する偏光を第２偏光としてもよい。
【０４０３】
また、上述の第１１から第１８までの各実施形態において、積層体が、車両のサンバイザーとして適用される例で説明したが、これに限定されるものでなく、例えば、冷蔵庫や、電子レンジなどの家電製品や、会議室のパーテーション、建造物の窓や車両等の窓（外光が入射する開口部（部位）、例えば、フロントや、サイド、リア、ルーフ等のウインドウ）に配置されるガラスや樹脂製（例えば、ポリカーボネート樹脂等）の透明基材等に貼付されるようにしてもよい。窓ガラス等に用いる場合、外側から見たときに鏡面として使用し、外側から内側が見えないようにするとともに、内側からは、用途に合わせて外側が見える透過状態と、外側が見えない遮光状態とを切り替えることができる。また、積層体は透明基材等に貼付される形態の他、２枚のガラスや樹脂等の透明基材間に積層体が挟持される、いわゆる合わせガラスの形態としてもよい。
【０４０４】
上述の第１８実施形態において、積層体１Ｓは、二色性色素を含み、ＩＰＳ方式で駆動される（ＧＨＩＰＳである）第１液晶セル４００及び第２液晶セル４２０が適用される例を示したが、これに限定されるものでなく、二色性色素を含み、ＶＡ方式やＴＮ方式で駆動される液晶セルを組み合わせて適用するようにしてもよい。
【符号の説明】
【０４０５】
１，１Ａ，１Ｃ，１Ｄ，１Ｅ，１Ｆ，１Ｇ，１Ｈ，１Ｊ    積層体
１Ｋ、１Ｌ、１Ｍ、１Ｎ、１Ｐ、１Ｑ、１Ｒ、１Ｓ    積層体
１９    シール材
１００，１００Ａ，１００Ｃ，１００Ｄ，１００Ｅ，１００Ｆ，１００Ｇ，１００Ｈ，１００Ｊ    第１液晶部材
１０２    第１吸収型偏光部材
１０２Ａ    位相差フィルム
１０４    第１液晶セル
１０５Ｄ    第１積層部
１０５Ｕ    第２積層部
１０６    基材
１０８    第１液晶層
１１１    透明電極
１１２    スペーサ
１１３    配向層
１１５    基材
１１６    透明電極
１１７    配向層
１１９    シール材
２００，２００Ａ，２００Ｃ，２００Ｄ，２００Ｅ，２００Ｆ，２００Ｇ，２００Ｈ，２００Ｊ    反射型偏光部材
２０４    第２液晶セル
２０８    第２液晶層
３００，３００Ａ，３００Ｃ，３００Ｄ，３００Ｅ，３００Ｆ，３００Ｇ，３００Ｈ，３００Ｊ    第２液晶部材
３０２    第２吸収型偏光部材
３０３    第３吸収型偏光部材
３０４    第２液晶セル
３０６    透明電極
３０８    第２液晶層
３１１    第１電極
３１６    第２電極
４００    第１液晶セル
４０１    第１吸収型偏光部材
４０２    第２吸収型偏光部材
４０６    基材
４０８    第１液晶層
４１１    透明電極
４１２    スペーサ
４１３    配向層
４１５    基材
４１６    透明電極
４１７    配向層
４２０    第２液晶セル
５００    反射型偏光部材
【図１】
2018070500.tif 000031
【図２】
2018070500.tif 000032
【図３】
2018070500.tif 000033
【図４】
2018070500.tif 000034
【図５】
2018070500.tif 000035
【図６】
2018070500.tif 000036
【図７】
2018070500.tif 000037
【図８】
2018070500.tif 000038
【図９】
2018070500.tif 000039
【図１０】
2018070500.tif 000040
【図１１】
2018070500.tif 000041
【図１２】
2018070500.tif 000042
【図１３】
2018070500.tif 000043
【図１４】
2018070500.tif 000044
【図１５】
2018070500.tif 000045
【図１６】
2018070500.tif 000046
【図１７】
2018070500.tif 000047
【図１８】
2018070500.tif 000048
【国際調査報告】
2018070500.tif 000049
2018070500.tif 000050
2018070500.tif 000051
2018070500.tif 000052